(57)【要約】  嗜好度判定部２０ａは最も嗜好度の高い最高番組嗜好度を抽出し、電源投入時に表示部に表示させる放送番組が最高番組嗜好度を有する放送番組であるか否かを判定する。録画判定部２０ｃは、視聴者が最高番組嗜好度を有する放送番組を特定して、録画再生部によって録画または録画予約しているか否かを判定する。表示決定部１２ａは、電源投入時に表示部に表示させる放送番組が最高番組嗜好度を有する放送番組ではなく、録画または録画予約していないと判定したとき、最高番組嗜好度を有する放送番組を視聴するための番組選択支援を行うことを決定する。
2009107725.tif 000002
【特許請求の範囲】
【請求項１】
所定のチャンネルの放送信号を受信して、放送番組の映像音声信号を出力する放送番組受信部と、
前記放送番組に関する番組情報を受信して出力する番組情報受信部と、
前記番組情報受信部より出力された番組情報を記憶する番組情報記憶部と、
現在放送中及び将来放送される放送番組に対する視聴者の番組嗜好度を含む番組嗜好情報を記憶する番組嗜好情報記憶部と、
前記番組情報記憶部に記憶された前記番組情報と前記番組嗜好情報記憶部に記憶された前記番組嗜好情報とに基づいて、予め定めた時点で放送される複数の放送番組に対する番組嗜好度の中から最も嗜好度の高い最高番組嗜好度を抽出し、前記放送番組受信部より出力されて前記予め定めた時点で表示部に表示させる放送番組が前記最高番組嗜好度を有する放送番組であるか否かを判定する嗜好度判定部と、
視聴者が前記最高番組嗜好度を有する放送番組を特定して、録画再生部によって前記最高番組嗜好度を有する放送番組を録画または録画予約しているか否かを判定する録画判定部と、
前記嗜好度判定部が、前記予め定めた時点で前記表示部に表示させる放送番組が前記最高番組嗜好度を有する放送番組ではないと判定し、かつ、前記録画判定部が、視聴者が前記最高番組嗜好度を有する放送番組を特定して前記録画再生部によって前記最高番組嗜好度を有する放送番組を録画または録画予約していないと判定したとき、視聴者が前記最高番組嗜好度を有する放送番組を視聴するための番組選択支援を行うことを決定する決定部と
を備えることを特徴とする番組選択支援装置。
【請求項２】
前記予め定めた時点は前記番組選択支援装置の電源を投入した時点であり、
前記決定部は、前記番組選択支援装置の電源投入後に、前記最高番組嗜好度を有する放送番組を前記表示部に表示させるよう前記放送番組受信部が受信するチャンネルを切替えるか、または前記最高番組嗜好度を有する放送番組が放送中であることを示すオンスクリーン情報を前記表示部に表示させる
ことを特徴とする請求項１記載の番組選択支援装置。
【請求項３】
前記予め定めた時点は前記表示部が表示している一の放送番組の終了時点であり、
前記決定部は、前記表示部に表示させている一の放送番組の終了後に、前記最高番組嗜好度を有する放送番組を前記表示部に表示させるよう前記放送番組受信部が受信するチャンネルを切替えるか、または前記最高番組嗜好度を有する放送番組が放送中であることを示すオンスクリーン情報を前記表示部に表示させる
ことを特徴とする請求項１記載の番組選択支援装置。
【請求項４】
前記予め定めた時点は前記録画再生部によって再生している一の録画放送番組の再生終了時点であり、
前記決定部は、前記録画再生部によって再生している一の録画放送番組の再生終了後に、前記最高番組嗜好度を有する放送番組を前記表示部に表示させるか、または前記最高番組嗜好度を有する放送番組が放送中であることを示すオンスクリーン情報を前記表示部に表示させる
ことを特徴とする請求項１記載の番組選択支援装置。
【請求項５】
所定のチャンネルの放送信号を受信して、放送番組の映像音声信号を出力する放送番組受信部と、
前記放送番組に関する番組情報を受信して出力する番組情報受信部と、
前記番組情報受信部より出力された番組情報を記憶する番組情報記憶部と、
現在放送中及び将来放送される放送番組に対する視聴者の番組嗜好度を含む番組嗜好情報を記憶する番組嗜好情報記憶部と、
前記番組情報記憶部に記憶された前記番組情報と前記番組嗜好情報記憶部に記憶された前記番組嗜好情報とに基づいて、現在時刻から所定の時間内に放送が開始される複数の放送番組に対する番組嗜好度の中から最も嗜好度の高い最高番組嗜好度を抽出し、前記放送番組受信部が、前記最高番組嗜好度を有する放送番組を放送するチャンネルを受信しているか否かを判定する嗜好度抽出・判定部と、
視聴者が前記最高番組嗜好度を有する放送番組を特定して、録画再生部によって前記最高番組嗜好度を有する放送番組を録画または録画予約しているか否かを判定する録画判定部と、
前記嗜好度抽出・判定部が、前記放送番組受信部が、前記最高番組嗜好度を有する放送番組を放送するチャンネルを受信していないと判定し、かつ、前記録画判定部が、視聴者が前記最高番組嗜好度を有する放送番組を特定して前記録画再生部によって前記最高番組嗜好度を有する放送番組を録画予約していないと判定したとき、視聴者が前記最高番組嗜好度を有する放送番組を視聴するための番組選択支援を行うことを決定する決定部と
を備えることを特徴とする番組選択支援装置。
【請求項６】
前記決定部は、前記最高番組嗜好度を有する放送番組の放送が開始されることを示すオンスクリーン情報を前記表示部に表示させることを特徴とする請求項５記載の番組選択支援装置。
【請求項７】
番組嗜好度が所定の閾値以上であるか否かを判定する閾値判定部を備え、
前記決定部は、前記閾値以上の番組嗜好度を有する放送番組に対する番組選択支援を行うことを特徴とする請求項１ないし６のいずれか１項に記載の番組選択支援装置。
【請求項８】
前記オンスクリーン情報は、前記最高番組嗜好度を有する放送番組を前記表示部に表示させるための表示ボタンと、前記最高番組嗜好度を有する放送番組を録画再生部によって録画させるための録画ボタンとを含み、
前記表示ボタンが選択された場合には前記最高番組嗜好度を有する放送番組を前記表示部に表示させ、前記録画ボタンが選択された場合には前記最高番組嗜好度を有する放送番組を録画再生部によって録画させるよう制御する表示・録画制御部を備えることを特徴とする請求項２ないし４、または６のいずれか１項に記載の番組選択支援装置。
【請求項９】
番組嗜好度が所定の閾値以上である放送番組を抽出して録画再生部によって自動的に録画させる自動録画制御部を備え、
前記表示・録画制御部が、前記表示ボタンが選択され、前記最高番組嗜好度を有する放送番組が前記録画制御部によって自動的に録画されている放送番組であることを検出したとき、前記自動録画制御部によって録画されている前記最高番組嗜好度を有する放送番組を再生させるよう制御することを特徴とする請求項８記載の番組選択支援装置。
【請求項１０】
放送番組受信部において、所定のチャンネルの放送信号を受信して、放送番組の映像音声信号を出力し、
番組放送受信部において、前記放送番組に関する番組情報を受信して出力し、
番組情報記憶部において、前記番組情報受信部より出力された番組情報を記憶し、
番組嗜好情報記憶部において、現在放送中及び将来放送される放送番組に対する視聴者の番組嗜好度を含む番組嗜好情報を記憶し、
嗜好度判定部において、前記番組情報記憶部に記憶された前記番組情報と前記番組嗜好情報記憶部に記憶された前記番組嗜好情報とに基づいて、予め定めた時点で放送される複数の放送番組に対する番組嗜好度の中から最も嗜好度の高い最高番組嗜好度を抽出し、前記放送番組受信部より出力されて前記予め定めた時点で表示部に表示させる放送番組が前記最高番組嗜好度を有する放送番組であるか否かを判定し、
録画判定部において、視聴者が前記最高番組嗜好度を有する放送番組を特定して、録画再生部によって前記最高番組嗜好度を有する放送番組を録画または録画予約しているか否かを判定し、
決定部において、前記嗜好度判定部が、前記予め定めた時点で前記表示部に表示させる放送番組が前記最高番組嗜好度を有する放送番組ではないと判定し、かつ、前記録画判定部が、視聴者が前記最高番組嗜好度を有する放送番組を特定して前記録画再生部によって前記最高番組嗜好度を有する放送番組を録画または録画予約していないと判定したとき、視聴者が前記最高番組嗜好度を有する放送番組を視聴するための番組選択支援を行うことを決定する
ことを特徴とする番組選択支援方法。
【請求項１１】
放送番組受信部において、所定のチャンネルの放送信号を受信して、放送番組の映像音声信号を出力し、
番組情報受信部において、前記放送番組に関する番組情報を受信して出力し、
番組情報記憶部において、前記番組情報受信部より出力された番組情報を記憶し、
番組嗜好情報記憶部において、現在放送中及び将来放送される放送番組に対する視聴者の番組嗜好度を含む番組嗜好情報を記憶し、
嗜好度抽出・判定部において、前記番組情報記憶部に記憶された前記番組情報と前記番組嗜好情報記憶部に記憶された前記番組嗜好情報とに基づいて、現在時刻から所定の時間内に放送が開始される複数の放送番組に対する番組嗜好度の中から最も嗜好度の高い最高番組嗜好度を抽出し、前記放送番組受信部が、前記最高番組嗜好度を有する放送番組を放送するチャンネルを受信しているか否かを判定し、
録画判定部において、視聴者が前記最高番組嗜好度を有する放送番組を特定して、録画再生部によって前記最高番組嗜好度を有する放送番組を録画または録画予約しているか否かを判定し、
決定部において、前記嗜好度抽出・判定部が、前記放送番組受信部が、前記最高番組嗜好度を有する放送番組を放送するチャンネルを受信していないと判定し、かつ、前記録画判定部が、視聴者が前記最高番組嗜好度を有する放送番組を特定して前記録画再生部によって前記最高番組嗜好度を有する放送番組を録画予約していないと判定したとき、視聴者が前記最高番組嗜好度を有する放送番組を視聴するための番組選択支援を行う
ことを特徴とする番組選択支援方法。
【発明の詳細な説明】
【技術分野】
【０００１】
本発明は、放送番組受信装置の視聴者（利用者）が放送番組を選択する際に、視聴者の嗜好に合った放送番組を選択することを支援する番組選択支援装置及び番組選択支援方法に関する。
【背景技術】
【０００２】
近年、衛星放送の開始や、テレビジョン放送のデジタル化に伴い、視聴者は多種多様な放送番組から所望の放送番組を選択して視聴できるようになった。しかしながら、その反面、放送番組の数が膨大であるので、視聴者はどのような放送番組が放送されているのかを網羅的に把握することが困難となり、自分の嗜好に合う放送番組を選択することが困難となっていた。また、視聴者が自分の嗜好に合った放送番組が放送されていることに気付かず見逃してしまう可能性が高くなっていた。【０００３】
そこで、放送局側では、膨大な放送番組の中から視聴者の嗜好に合った放送番組の選択補助を目的として、放送番組の「タイトル」、「放送開始日時」、「チャンネル」、「ジャンル」、「内容説明」、「出演者リスト」等の項目を含む番組情報を映像音声信号に多重化して送信する技術を実用化し運用している。【０００４】
そして、この番組情報を利用して、例えば電子番組表等を構成し画面上に提示することで、視聴者による放送番組の選択の補助を行うテレビジョン受信機も普及してきている。【０００５】
また、近年、ハードディスク等の記憶装置を内蔵し、長時間の放送番組を録画することが可能な録画機や、録画機能を有するテレビジョン受信機（以下、テレビジョン録画機という）が普及してきている。このようなテレビジョン録画機には、映像音声信号と共に番組情報を記録し、この記録した映像音声信号を再生する場合に番組情報を画面上に表示するものもある。【０００６】
さらに、視聴者による放送番組の視聴履歴と番組情報とから視聴者の嗜好を推定したり、視聴者が嗜好に関する情報を入力することによって、放送予定の放送番組について、視聴者の特性に適合する度合いを示す嗜好度を算出し、視聴者の嗜好に適合する放送番組を決定し、決定した放送番組の番組情報を表示したり、決定した放送番組の映像音声信号を記録したりするテレビジョン録画機もある。【０００７】
例えば、特許文献１には、視聴者が自分の嗜好情報を映像視聴装置またはサーバに事前に登録し、番組提供者側は各番組に属性情報を登録し、視聴者の嗜好情報に基づいて、視聴者に対する各番組の嗜好度を自動的に計算し、現在の時間の中で、視聴者の嗜好度が最も高い番組を決定し、決定された番組に自動的にチャンネルを変更したり、嗜好度が高い番組が放送開始したときに、その旨を表示したりする番組映像自動選択装置が記載されている。
【特許文献１】特開２００３−２８９４８１号公報
【発明の開示】
【０００８】
しかしながら、特許文献１に記載の番組映像自動選択装置では、視聴者が、ハードディスク等の記憶装置に放送番組を録画または録画予約している場合にも、嗜好度を計算し、自動的にチャンネルを変更したり、嗜好度が高い番組が放送開始したときに、その旨を表示したりするので、視聴者は不快に感じてしまう場合があった。
【０００９】
本発明は、上記課題に鑑みてなされたものであり、放送番組の選択支援を行うに際し、放送番組を録画または録画予約しているか否かに応じて最適な選択支援を行うことができる番組選択支援装置及び番組選択支援方法を提供することを目的とする。
【００１０】
上記目的を達成するため、本発明の第一の側面によれば、所定のチャンネルの放送信号を受信して、放送番組の映像音声信号を出力する放送番組受信部と、前記放送番組に関する番組情報を受信して出力する番組情報受信部と、前記番組情報受信部より出力された番組情報を記憶する番組情報記憶部と、現在放送中及び将来放送される放送番組に対する視聴者の番組嗜好度を含む番組嗜好情報を記憶する番組嗜好情報記憶部と、前記番組情報記憶部に記憶された前記番組情報と前記番組嗜好情報記憶部に記憶された前記番組嗜好情報とに基づいて、予め定めた時点で放送される複数の放送番組に対する番組嗜好度の中から最も嗜好度の高い最高番組嗜好度を抽出し、前記放送番組受信部より出力されて前記予め定めた時点で表示部に表示させる放送番組が前記最高番組嗜好度を有する放送番組であるか否かを判定する嗜好度判定部と、視聴者が前記最高番組嗜好度を有する放送番組を特定して、録画再生部によって前記最高番組嗜好度を有する放送番組を録画または録画予約しているか否かを判定する録画判定部と、前記嗜好度判定部が、前記予め定めた時点で前記表示部に表示させる放送番組が前記最高番組嗜好度を有する放送番組ではないと判定し、かつ、前記録画判定部が、視聴者が前記最高番組嗜好度を有する放送番組を特定して前記録画再生部によって前記最高番組嗜好度を有する放送番組を録画または録画予約していないと判定したとき、視聴者が前記最高番組嗜好度を有する放送番組を視聴するための番組選択支援を行うことを決定する決定部とを備えることを特徴とする番組選択支援装置が提供される。
【００１１】
また、本発明の第二の側面によれば、所定のチャンネルの放送信号を受信して、放送番組の映像音声信号を出力する放送番組受信部と、前記放送番組に関する番組情報を受信して出力する番組情報受信部と、前記番組情報受信部より出力された番組情報を記憶する番組情報記憶部と、現在放送中及び将来放送される放送番組に対する視聴者の番組嗜好度を含む番組嗜好情報を記憶する番組嗜好情報記憶部と、前記番組情報記憶部に記憶された前記番組情報と前記番組嗜好情報記憶部に記憶された前記番組嗜好情報とに基づいて、現在時刻から所定の時間内に放送が開始される複数の放送番組に対する番組嗜好度の中から最も嗜好度の高い最高番組嗜好度を抽出し、前記放送番組受信部が、前記最高番組嗜好度を有する放送番組を放送するチャンネルを受信しているか否かを判定する嗜好度抽出・判定部と、視聴者が前記最高番組嗜好度を有する放送番組を特定して、録画再生部によって前記最高番組嗜好度を有する放送番組を録画または録画予約しているか否かを判定する録画判定部と、前記嗜好度抽出・判定部が、前記放送番組受信部が、前記最高番組嗜好度を有する放送番組を放送するチャンネルを受信していないと判定し、かつ、前記録画判定部が、視聴者が前記最高番組嗜好度を有する放送番組を特定して前記録画再生部によって前記最高番組嗜好度を有する放送番組を録画予約していないと判定したとき、視聴者が前記最高番組嗜好度を有する放送番組を視聴するための番組選択支援を行うことを決定する決定部とを備えることを特徴とする番組選択支援装置が提供される。
【００１２】
さらに、本発明の第三の側面によれば、番組放送受信部において、所定のチャンネルの放送信号を受信して、放送番組の映像音声信号を出力し、番組放送受信部において、前記放送番組に関する番組情報を受信して出力し、番組情報記憶部において、前記番組情報受信部より出力された番組情報を記憶し、番組嗜好情報記憶部において、現在放送中及び将来放送される放送番組に対する視聴者の番組嗜好度を含む番組嗜好情報を記憶し、嗜好度判定部において、前記番組情報記憶部に記憶された前記番組情報と前記番組嗜好情報記憶部に記憶された前記番組嗜好情報とに基づいて、予め定めた時点で放送される複数の放送番組に対する番組嗜好度の中から最も嗜好度の高い最高番組嗜好度を抽出し、前記放送番組受信部より出力されて前記予め定めた時点で表示部に表示させる放送番組が前記最高番組嗜好度を有する放送番組であるか否かを判定し、録画判定部において、視聴者が前記最高番組嗜好度を有する放送番組を特定して、録画再生部によって前記最高番組嗜好度を有する放送番組を録画または録画予約しているか否かを判定し、決定部において、前記嗜好度判定部が、前記予め定めた時点で前記表示部に表示させる放送番組が前記最高番組嗜好度を有する放送番組ではないと判定し、かつ、前記録画判定部が、視聴者が前記最高番組嗜好度を有する放送番組を特定して前記録画再生部によって前記最高番組嗜好度を有する放送番組を録画または録画予約していないと判定したとき、視聴者が前記最高番組嗜好度を有する放送番組を視聴するための番組選択支援を行うことを決定することを特徴とする番組選択支援方法が提供される。
【００１３】
さらに、本発明の第四の側面によれば、放送番組受信部において、所定のチャンネルの放送信号を受信して、放送番組の映像音声信号を出力し、番組情報受信部において、前記放送番組に関する番組情報を受信して出力し、番組情報記憶部において、前記番組情報受信部より出力された番組情報を記憶し、番組嗜好情報記憶部において、現在放送中及び将来放送される放送番組に対する視聴者の番組嗜好度を含む番組嗜好情報を記憶し、嗜好度抽出・判定部において、前記番組情報記憶部に記憶された前記番組情報と前記番組嗜好情報記憶部に記憶された前記番組嗜好情報とに基づいて、現在時刻から所定の時間内に放送が開始される複数の放送番組に対する番組嗜好度の中から最も嗜好度の高い最高番組嗜好度を抽出し、前記放送番組受信部が、前記最高番組嗜好度を有する放送番組を放送するチャンネルを受信しているか否かを判定し、録画判定部において、視聴者が前記最高番組嗜好度を有する放送番組を特定して、録画再生部によって前記最高番組嗜好度を有する放送番組を録画または録画予約しているか否かを判定し、決定部において、前記嗜好度抽出・判定部が、前記放送番組受信部が、前記最高番組嗜好度を有する放送番組を放送するチャンネルを受信していないと判定し、かつ、前記録画判定部が、視聴者が前記最高番組嗜好度を有する放送番組を特定して前記録画再生部によって前記最高番組嗜好度を有する放送番組を録画予約していないと判定したとき、視聴者が前記最高番組嗜好度を有する放送番組を視聴するための番組選択支援を行うことを特徴とする番組選択支援方法が提供される。
【図面の簡単な説明】
【００１４】
【図１】図１は、本発明の実施例１の番組選択支援装置を示す構成図である。
【図２】図２は、本発明の実施例１の番組選択支援装置を用いた番組選択支援システムの構成図である。
【図３】図３は、本発明の実施例１の番組選択支援装置とネットワークを介して接続されたテレビジョン録画機の構成図である。
【図４】図４は、本発明の各実施例の番組選択支援装置における嗜好分析処理を示すフローチャートである。
【図５】図５は、本発明の実施例１の番組選択支援装置における電源オン時の番組選択支援処理を示すフローチャートである。
【図６】図６は、本発明の実施例１，２の番組選択支援装置による番組選択支援の例を示す画面表示例を示す図である。
【図７】図７は、本発明の実施例１の番組選択支援装置における出力処理を示すフローチャートである。
【図８】図８は、本発明の実施例２の番組選択支援装置を示す構成図である。
【図９】図９は、本発明の実施例２の番組選択支援装置における視聴終了時の番組選択支援処理を示すフローチャートである。
【図１０】図１０は、本発明の実施例２の番組選択支援装置における出力処理を示すフローチャートである。
【図１１】図１１は、本発明の実施例３の番組選択支援装置を示す構成図である。
【図１２】図１２は、本発明の実施例３の番組選択支援装置における放送開始前の番組選択支援処理を示すフローチャートである。
【図１３】図１３は、本発明の実施例３の番組選択支援装置による番組選択支援の例を示す画面表示例を示す図である。
【図１４】図１４は、本発明の実施例３の番組選択支援装置における出力処理を示すフローチャートである。
【発明を実施するための最良の形態】
【００１５】
以下、本発明を実施するための最良の形態について図面を参照して説明する。【００１６】
［実施例１］
本発明の実施例１は、最も嗜好度が高い放送番組を表示部に表示させるか、または最も嗜好度が高い放送番組が存在することを知らせるオンスクリーン情報を表示部に表示させる番組選択支援を行うに際し、録画再生部において録画中である放送番組の番組情報を示す録画情報に応じて番組選択支援を行うか否かを判断するように構成した番組選択支援装置である。また、実施例１は、番組選択支援を行うか否かを放送番組受信装置の電源が投入された場合に行うものである。ここで、録画再生部は、放送番組受信装置に内蔵されている放送番組の録画再生部であってもよく、例えばネットワークを介して接続された録画再生部であってもよい。以下、実施例１の番組選択支援装置について説明する。【００１７】
＜番組選択支援装置の構成＞
図１は本発明の実施例１である番組選択支援装置を示す構成図である。図１においては、録画再生部を内蔵すると共に、ネットワークを介して外部の録画再生部に接続する機能を有する放送番組受信装置が番組選択支援装置１を構成している例を示している。番組選択支援装置１は、第１の放送受信部１０と、第２の放送受信部１１と、機器制御部１２と、映像音声信号記録部１３と、操作履歴情報記憶部１４と、録画予約情報記憶部１５と、番組情報記憶部１６と、番組嗜好情報記憶部１７と、嗜好分析部１８と、番組推薦部２０と、表示部２１と、入力部２２と、ネットワーク接続部２３と、電源部２８とを備える。表示部２１は番組選択支援装置１（放送番組受信装置）の外部に設けられていて、番組選択支援装置１と接続されている状態であってもよい。【００１８】
第１の放送受信部１０及び第２の放送受信部１１は、チューナ及び復調分離手段を有し、地上波や放送衛星を介して放送局から送信される放送波のうち機器制御部１２によって指示されたチャンネルの放送波信号を受信し、放送波信号から映像音声信号と番組情報とを分離して抽出し、機器制御部１２へ供給する。第１の放送受信部１０及び第２の放送受信部１１は、インターネット等のネットワークにより伝送される放送波以外の放送信号を受信するものであってもよい。即ち、第１の放送受信部１０及び第２の放送受信部１１は、任意の伝送経路によって伝送される放送信号を受信し、放送番組の映像音声信号及び番組情報を抽出する。【００１９】
さらに、放送番組の映像音声信号を地上波や衛星等の放送波として受信し、放送番組に関する番組情報をネットワークから受信してもよい。即ち、所定のチャンネルの放送波信号を受信して、放送番組の映像音声信号を出力する放送番組受信部と、放送番組に関する番組情報を受信する番組情報受信部とが別々の受信部となっていてもよい。図１に示す第１の放送受信部１０及び第２の放送受信部１１は、放送番組受信部と番組情報受信部とが一体の構成である。【００２０】
ここで、番組情報とは、放送局側により映像音声信号に付加される情報であり、「タイトル」、「チャンネル」、「放送開始時刻」、「放送終了時刻」、「ジャンル」、「内容説明」、及び「出演者リスト」等の情報を含むものである。なお、「放送開始時刻」、「放送終了時刻」には、年月日の情報が含まれていてもよい。【００２１】
番組選択支援装置１に内蔵されている録画再生部である映像音声信号記録部１３は、例えばハードディスク等の記録装置により構成され、後述する機器制御部１２から供給された制御信号に基づき、映像音声信号と、この映像音声信号を一意に識別する番組ＩＤと、自動手動識別子と、記録を開始した時刻である記録開始日時とを関連づけて記録する。ここで、自動手動識別子とは、後述する番組嗜好情報に基づいて自動的に記録された映像音声信号であるか、または視聴者操作に基づいて記録された映像音声信号であるかを識別するものである。視聴者操作に基づく記録とは、視聴者が手動で行うタイマ予約によって録画しようとする番組を特定して行う録画や、入力部２２に設けられている操作ボタン（録画ボタン）を押下して録画しようとする番組を特定して行う録画をいう。番組嗜好情報に基づいて記録された映像音声信号には、“自動”を示す識別子が付加され、視聴者操作に基づいて記録された映像音声信号には、“手動”を示す識別子が付加される。【００２２】
そして、映像音声信号記録部１３は、新たに機器制御部１２から供給された映像音声信号を記録する容量が不足する場合には、自動手動識別子が“自動”に設定されている映像音声信号のうち、記録開始日時が古い映像音声信号から順次消去し、新たな映像音声信号を記録する。ここでは、番組嗜好情報に基づいて自動的に番組を自動的に記録したり、視聴者操作に基づいて番組を手動で記録したりする録画再生部を番組選択支援装置１に内蔵されている映像音声信号記録部１３としたが、後述するネットワーク３に接続されている外部の録画再生部に対して自動または手動記録するようにしてもよい。【００２３】
また、番組ＩＤとは、放送番組を一意に識別する識別子として生成されるものであり、例えば、番組情報に含まれる「チャンネル」と「放送開始時刻」との組み合わせ等を番組ＩＤとする。【００２４】
操作履歴情報記憶部１４は、例えばハードディスク等の記憶装置により構成され、機器制御部１２から供給された操作信号の履歴を操作履歴情報として記憶する。【００２５】
録画予約情報記憶部１５は、放送番組の録画を予約するための録画予約情報を記憶する。【００２６】
なお、この録画予約情報には、嗜好分析部１８により生成された録画予約情報であるか、または視聴者操作に基づいて生成された録画予約情報であるかを識別する自動手動識別子を含む。ここで、自動手動識別子は、嗜好分析部１８により生成された録画予約情報には“自動”が設定され、視聴者操作に基づいて生成された録画予約情報には“手動”が設定される。【００２７】
番組情報記憶部１６は、例えばハードディスク等の記憶装置により構成され、機器制御部１２から供給された制御信号に従って、放送番組を一意に識別する番組ＩＤと、番組情報とを関連づけて記憶する。【００２８】
番組嗜好情報記憶部１７は、例えばハードディスク等の記憶装置により構成され、後述する嗜好分析部１８から供給される番組嗜好情報を記憶する。ここで、番組嗜好情報は、番組ＩＤと、放送番組の視聴者による嗜好に適合する度合いを示す番組嗜好度とを含む。【００２９】
嗜好分析部１８は、例えば、１日に１回などの予め定められた条件に従って動作し、放送番組毎に視聴者の番組嗜好度を算出する。具体的には、操作履歴情報記憶部１４から操作履歴情報を読み出すと共に、番組情報記憶部１６から番組情報を読み出し、これら読み出した操作履歴情報及び番組情報に基づいて、番組毎に視聴者の番組嗜好度を算出する。そして、算出した番組嗜好度を番組ＩＤと関連づけて番組嗜好情報として番組嗜好情報記憶部１７へ供給する。【００３０】
表示部２１は、有機ＥＬ（electroluminescence）ディスプレイや、液晶ディスプレイ等の画像出力装置を備え、機器制御部１２から供給された出力信号に基づいて、映像や番組情報等を表示する。なお、図１では、音声を発生させるスピーカの図示を省略している。【００３１】
入力部２２は各種の操作ボタンを備えており、視聴者によって操作ボタンが押下操作されることによって操作信号を生成し、生成した操作信号を機器制御部１２へ供給する。【００３２】
機器制御部１２は、テレビジョン放送の受信、表示、記録、再生等のテレビジョン受信装置（放送番組受信装置）としての基本機能を制御する。【００３３】
そして、機器制御部１２は、入力部２２から受信した操作信号に基づいて電源部２８を制御して、主電源の投入または切断を行う。電源部２８は各部に電力を供給する。また、機器制御部１２は、入力部２２から受信した操作信号に基づいて、第１の放送受信部１０及び第２の放送受信部１１が受信するチャンネルを設定したり、映像音声信号記録部１３に記録された映像音声信号の再生を開始したりする。【００３４】
また、機器制御部１２は、チャンネル変更等による放送番組の視聴履歴や、映像音声信号記録部１３に記録された映像音声信号の再生履歴を操作履歴情報として収集する。具体的には、入力部２２から受信した操作信号に基づいて、視聴番組のチャンネル切替えを要求する操作信号、及び映像音声信号記録部１３に記録された映像音声信号の再生を要求する操作信号から、操作履歴を生成し、視聴者が視聴した放送番組の映像音声信号の番組ＩＤと関連づけて操作履歴情報として操作履歴情報記憶部１４へ供給する。【００３５】
また、機器制御部１２は、その機能上、表示決定部１２ａと、表示・録画制御部１２ｂとを備える。【００３６】
表示決定部１２ａは、後述する番組推薦部２０の録画判定部２０ｃが、ネットワーク３に接続された外部の録画再生部であるテレビジョン録画機２から受信した録画中である番組情報を示す録画情報の中に、最も高い番組嗜好度に対応する放送番組の番組情報が含まれないと判定した場合に、所定の設定値に基づいて、最も高い番組嗜好度に対応する放送番組を表示部２１に表示させるか、最も高い番組嗜好度に対応する放送番組が存在することを視聴者に知らせるためのオンスクリーン情報を表示部２１に表示させるかを決定する。【００３７】
表示・録画制御部１２ｂは、表示決定部１２ａによる決定に基づいて、表示部２１にオンスクリーン情報が表示された場合に、入力部２２から、視聴者による入力操作により表示部２１に表示されたオンスクリーン情報の表示ボタンが選択されたことを示す操作信号が供給されると、最も高い番組嗜好度に対応する放送番組の映像音声信号を表示部２１に表示させる。または、表示・録画制御部１２ｂは、入力部２２から、視聴者による入力操作により表示部２１に表示されたオンスクリーン情報の録画ボタンが選択されたことを示す操作信号が供給されると、最も高い番組嗜好度に対応する放送番組の映像音声信号を第２の放送受信部により受信させ、受信した映像音声信号を映像音声信号記録部１３に記録させる。【００３８】
番組推薦部２０は、その機能上、嗜好度判定部２０ａと、閾値判定部２０ｂと、録画判定部２０ｃを備える。【００３９】
嗜好度判定部２０ａは、番組選択支援装置１の主電源が投入された場合に、番組情報記憶部１６及び番組嗜好情報記憶部１７から、それぞれ番組情報及び番組嗜好情報を読み出し、この読み出された番組情報と番組嗜好情報とに基づいて、現在放送中の放送番組に対応する番組嗜好度の中から最も高い番組嗜好度を抽出し、この抽出した最も高い番組嗜好度の放送番組が、表示部２１に表示されている放送番組の番組嗜好度より高いか否かを判定する。換言すれば、最も高い番組嗜好度の放送番組が、表示部２１に表示されているか否かを判定する。【００４０】
閾値判定部２０ｂは、嗜好度判定部２０ａにより、最も高い番組嗜好度が、表示部２１に表示された映像音声信号に対応する放送番組の番組嗜好度より高いと判定された場合に、この最も高い番組嗜好度が所定の閾値以上か否かを判定する。【００４１】
録画判定部２０ｃは、閾値判定部２０ｂにより閾値以上と判定された場合に、ネットワーク３に接続された後述するテレビジョン録画機２から、テレビジョン録画機２が録画中である番組情報を、ネットワーク３を介して録画情報として受信し、この受信した録画情報の中に最も高い番組嗜好度に対応する放送番組の番組情報が含まれているか否かを判定する。【００４２】
ネットワーク接続部２３は、ネットワークカードなどの通信インタフェースであり、このネットワーク接続部２３によりネットワーク３に接続することによって、ネットワーク３に接続されたテレビジョン録画機２と通信することができる。番組選択支援装置１（放送番組受信装置）とテレビジョン録画機２は、ＤＬＮＡ（Digital Living Network Alliance）が策定したガイドライン（ＤＬＮＡガイドライン）に準拠したネットワーク対応機器であってもよい。【００４３】
なお、番組選択支援装置１は、映像音声信号記録部１３、操作履歴情報記憶部１４、録画予約情報記憶部１５と、番組情報記憶部１６、番組嗜好情報記憶部１７を別々の記憶装置として構成しているが、各々の記憶部を部分的に共用したり、全ての記憶部を１つの記憶装置で共用したりする構成としてもよい。【００４４】
＜番組選択支援システムの構成＞
図２は、実施例１の番組選択支援装置１とテレビジョン録画機２とをネットワーク３で接続した番組選択支援システム１００を示す構成図である。【００４５】
このような番組選択支援システム１００において、番組選択支援装置１は、主電源が投入された場合に、視聴者の嗜好や、ネットワーク３を介してテレビジョン録画機２から受信した録画情報に基づいて、最も嗜好度が高い放送番組の映像音声信号を表示させ、または最も嗜好度が高い放送番組が存在することを視聴者に知らせるためのオンスクリーン情報を表示させる。オンスクリーン情報を表示させるよう設定した場合、番組選択支援装置１は、オンスクリーン情報に対する視聴者の操作に基づいて最も嗜好度が高い放送番組を表示したり、映像音声信号記録部１３に録画させたりする。映像音声信号記録部１３の代わりにテレビジョン録画機２に録画させてもよい。【００４６】
なお、番組選択支援装置１以外の１つまたは２つ以上のネットワーク対応機器がネットワーク３に接続されている場合に、これらのネットワーク対応機器の中から番組選択支援装置１が録画情報を受信するテレビジョン録画機２を選択する際には、番組選択支援装置１の視聴者がテレビジョン録画機２のＩＰアドレス等を指定して選択するようにしてもよいし、ＵＰｎＰ（Universal Plug and Play）のプロトコルに基づいて、自動的にテレビジョン録画機２を発見するようにしてもよい。【００４７】
＜テレビジョン録画機２の構成＞
図３は、番組選択支援システム１００のテレビジョン録画機２の具体的な構成図である。テレビジョン録画機２は、放送受信部３１と、機器制御部３２と、映像音声信号記録部３３と、番組情報記憶部３４と、録画予約情報記憶部３５と、出力部３６と、入力部３７と、ネットワーク接続部３８とを備える。【００４８】
放送受信部３１は、チューナ及び復調分離手段を有し、地上波や放送衛星を介して放送局から送信される放送波のうち機器制御部３２より指示されたチャンネルの放送波を受信し、映像音声信号と番組情報とを分離して機器制御部３２へ供給する。【００４９】
ここで、番組情報とは、放送局側により映像音声信号に付加される情報であり、「タイトル」、「チャンネル」、「放送開始時刻」、「放送終了時刻」、「ジャンル」、「内容説明」、及び「出演者リスト」等の情報を含むものである。なお、「放送開始時刻」、「放送終了時刻」には、年月日の情報が含まれていてもよい。【００５０】
映像音声信号記録部３３は、例えばハードディスク等の記録装置により構成され、後述する機器制御部３２から供給された制御信号に基づき、映像音声信号と、この映像音声信号を一意に識別する番組ＩＤとを関連づけて記録する。【００５１】
ここで番組ＩＤとは、放送番組を一意に識別する識別子として生成されるものであり、例えば、番組情報に含まれる「チャンネル」と「放送開始時刻」との組み合わせ等を番組ＩＤとする。【００５２】
番組情報記憶部３４は、例えばハードディスク等の記憶装置により構成され、機器制御部３２から供給された制御信号に従って、放送番組を一意に識別する番組ＩＤと、番組情報とを関連づけて記憶する。【００５３】
録画予約情報記憶部３５は、放送番組の録画を予約するための録画予約情報を記憶する。【００５４】
出力部３６は、有機ＥＬ（electroluminescence）ディスプレイや、液晶ディスプレイ等の画像出力装置を備え、機器制御部３２から供給された出力信号に基づいて、映像や番組情報等を表示する。出力部３６は音声を発生させるスピーカを含む。【００５５】
入力部３７は各種の操作ボタンを備えており、視聴者によって操作ボタンが押下操作されることによって操作信号を生成し、生成した操作信号を機器制御部３２へ供給する。【００５６】
機器制御部３２は、テレビジョン放送の受信、表示、記録、再生等のテレビジョン受信装置（放送番組受信装置）としての基本機能を制御する。【００５７】
そして、機器制御部３２は、入力部３７から受信した操作信号に基づいて、主電源の投入または切断を行ったり、放送受信部３１が受信するチャンネルを設定したり、映像音声信号記録部３３に記録された映像音声信号の再生を開始したりする。また、機器制御部３２は、出力部３６への映像音声信号等の出力を制御する。【００５８】
さらに、機器制御部３２は、ネットワーク３を介して、番組選択支援装置１から送信された録画情報の送信を要求する要求信号が後述するネットワーク接続部３８から供給された場合に、現在出力部３６に出力している映像音声信号を映像音声信号記録部３３に記録させている場合には、その番組情報を録画情報として、ネットワーク接続部３８から、ネットワーク３を介して番組選択支援装置１に送信する。【００５９】
さらに、ネットワーク３を介して、番組選択支援装置１から送信された録画予約情報の送信を要求する要求信号が後述するネットワーク接続部３８から供給された場合には、録画予約情報記憶部３５から録画予約情報を読み出し、読み出した録画予約情報をネットワーク接続部３８から、ネットワーク３を介して番組選択支援装置１に送信する。【００６０】
ネットワーク接続部３８は、ネットワークカードなどの通信インタフェースであり、このネットワーク接続部３８によりネットワーク３に接続することによって、ネットワーク３に接続された番組選択支援装置１と通信することができる。【００６１】
＜番組選択支援装置１の作用＞
番組選択支援装置１は、主に嗜好分析処理、電源投入（オン）時番組選択支援処理、及び出力処理を行う。以下に、これら各処理について詳細に説明する。【００６２】
≪嗜好分析処理≫
まず、番組選択支援装置１の嗜好分析部１８における嗜好分析処理の詳細について説明する。【００６３】
図４は、番組選択支援装置１において、予め定められた時間間隔で定期的に動作している嗜好分析処理のうちの１周期分の主要な処理を示すフローチャートである。【００６４】
番組選択支援装置１の嗜好分析部１８は、嗜好分析処理を開始すると、操作履歴情報記憶部１４、及び番組情報記憶部１６からそれぞれ操作履歴情報及び番組情報を読み出し、読み出した操作履歴情報及び番組情報に基づいて番組選択履歴情報を生成する（ステップＳ１０１）。例えば、嗜好分析部１８は、読み出した操作履歴情報の中に、チャンネル設定操作を示す操作履歴があれば、読み出した番組情報の中から、このチャンネル設定操作により設定されたチャンネルで放送された放送番組の番組ＩＤを抽出する。また、読み出した操作履歴情報の中に、録画開始操作を示す操作履歴、及び録画終了操作を示す操作履歴がある場合、読み出した番組情報の中から、録画開始の操作が行われた時点から録画終了の操作が行われた時点までに放送された放送番組の番組ＩＤを抽出する。【００６５】
また、嗜好分析部１８は、読み出した操作履歴情報の中に、録画予約操作を示す操作履歴、または再生操作を示す操作履歴がある場合、これらの操作履歴の中から番組ＩＤを抽出する。【００６６】
そして、嗜好分析部１８は、これら抽出した番組ＩＤのリストを番組選択履歴情報として生成する。【００６７】
次に、番組情報記憶部１６に記憶された番組情報から１つまたは２つ以上のキーワードを抽出する（ステップＳ１０２）。具体的には、例えば、番組情報に含まれる「ジャンル」及び「出演者」をキーワードとし、「タイトル」及び「内容説明」の文字列データを公知の形態素解析により形態素に分解し、名詞等の予め定められた特定の品詞に属する形態素をキーワードとして抽出する。【００６８】
次に、嗜好分析部１８は、抽出した各キーワードの番組出現回数を計算する（ステップＳ１０３）。具体的には、抽出した各キーワードのそれぞれを順次、計算対象キーワードｋとして、この計算対象キーワードｋが含まれている放送番組の数を算出し、この算出結果を番組出現回数とする。なお、この計算対象キーワードｋが１つの番組に重複して含まれる場合でも番組出現回数は１回として算出する。【００６９】
次に、嗜好分析部１８は、各計算対象キーワードｋの番組選択履歴出現頻度を算出する（ステップＳ１０４）。ここで、番組選択履歴出現頻度とは、計算対象キーワードｋが番組選択履歴情報に含まれる番組ＩＤにより識別される放送番組の番組情報に含まれる頻度を示す。具体的には、嗜好分析部１８は、１つの計算対象キーワードｋが、番組選択履歴情報に含まれる番組ＩＤにより識別される放送番組ｈの番組情報から抽出した１つ以上のキーワードの中に存在した個数をＮｋ，ｈとし、放送番組ｈから抽出したキーワードの種類数（重複するキーワードは１とする）をＮｈとして、計算対象キーワードｋの放送番組ｈに対する出現頻度Ｆｋ，ｈを数式１を用いて算出する。
【数１】
2009107725.tif 000003
【００７０】
数式１は、視聴者の嗜好の観点から、キーワードの種類数が少ない放送番組に含まれる計算対象キーワードｋほど重要度が高く出現頻度Ｆｋ，ｈの値が大きくなり、キーワードの種類数が多い放送番組に含まれる計算対象キーワードｋほど重要度が低く出現頻度Ｆｋ，ｈの値が小さくなることを示している。さらに、人間の感覚に近いと言われている対数関数を用いている。【００７１】
次に、嗜好分析部１８は、番組選択履歴情報に含まれる全ての番組ＩＤにより識別される放送番組についても同様に、数式１を用いて計算対象キーワードｋの放送番組毎の出現頻度Ｆｋ，ｈを算出する。そして、嗜好分析部１８は、この算出した出現頻度Ｆｋ，ｈの総和を番組選択履歴出現頻度Ｆｋとして、数式２のとおり算出する。
【数２】
2009107725.tif 000004
【００７２】
そして、嗜好分析部１８は、計算対象キーワードｋ毎の嗜好度をキーワード嗜好度として算出する（ステップＳ１０５）。具体的には、嗜好分析部１８は、全番組数をＮ、ステップＳ１０３において算出した計算対象キーワードｋの番組出現回数をＮｋ、ステップＳ１０４において算出した計算対象キーワードｋの番組選択履歴出現頻度をＦｋとして、計算対象キーワードｋ毎のキーワード嗜好度Ｐｋを数式３を用いて算出する。
【数３】
2009107725.tif 000005
【００７３】
数式３は、視聴者の嗜好という観点から、多くの放送番組に出現する計算対象キーワードｋほど重要度が低くキーワード嗜好度Ｐｋの値が小さくなり、出現する放送番組の少ない計算対象キーワードｋほど重要度が高くキーワード嗜好度Ｐｋの値が大きくなることを示している。さらに数式３は、人間の感覚に近いと言われている対数関数を用いている。【００７４】
次に、嗜好分析部１８は、放送番組毎の嗜好度を番組嗜好度として算出する（ステップＳ１０６）。番組嗜好度の計算の対象は、番組情報記憶部１６に番組情報が記憶されている放送番組のうち、まだ放送されていない放送番組、即ち、放送開始時刻が現在時刻より後である放送番組とする。具体的には、嗜好分析部１８は、全てのキーワードｋについて、ステップＳ１０４において算出したキーワードｋの放送番組ｈに対する出現頻度Ｆｋ，ｈと、ステップＳ１０５において算出したキーワードｋのキーワード嗜好度Ｐｋとの積を算出する。そして、嗜好分析部１８は、下記の数式４に示すように、算出した全ての出現頻度Ｆｋ，ｈとキーワード嗜好度Ｐｋとの積の総和を、計算対象番組ｈの番組嗜好度Ｑｈとして算出する。
【数４】
2009107725.tif 000006
【００７５】
そして、嗜好分析部１８は、計算対象番組ｈの番組ＩＤとこの計算対象番組ｈの番組嗜好度Ｑｈとを関連付けて番組嗜好情報として番組嗜好情報記憶部１７に記憶する。【００７６】
次に、嗜好分析部１８は、番組嗜好度の高い放送番組を録画予約する（ステップＳ１０７）。具体的には、嗜好分析部１８は、所定の閾値より高い番組嗜好度を有する放送番組、または番組嗜好度の高い順から所定の閾値を越えない個数の放送番組のうち、録画予約情報記憶部１５に記憶されている録画予約情報に含まれる放送番組と放送時間が重ならない放送番組について録画予約情報を生成し、生成した録画予約情報を録画予約情報記憶部１５に記憶させる。【００７７】
このとき、嗜好分析部１８は、番組嗜好度の高い放送番組の録画予約情報から順に録画予約情報記憶部１５に記憶させ、先に記憶させた録画予約情報に含まれる放送時間と重なる放送時刻を含む録画予約情報については、記憶させることなく削除する。ここで、放送時間とは、放送開始時刻から放送終了時刻までの時間帯のことをいい、例えば、放送開始時刻ｔ１から放送終了時刻ｔ２まで放送される放送番組Ａと、放送開始時刻ｔ３から放送終了時刻ｔ４まで放送される放送番組Ｂとは、時刻ｔ３が時刻ｔ２より早い時刻であり、かつ時刻ｔ４が時刻ｔ１より遅い時刻である場合に放送時間が重なっていると判定する。【００７８】
なお、嗜好分析部１８は、録画予約情報を録画予約情報記憶部１５に記憶させる際、嗜好分析部１８により生成された録画予約情報であることを意味する“自動”を示す自動手動識別子を関連づけて記憶させる。このように、嗜好分析部１８は、番組嗜好度が所定の閾値以上である放送番組を抽出して録画再生部によって自動的に録画させる自動録画制御部としても動作している。自動録画制御部の機能を機器制御部１２内に設けてもよい。番組嗜好度が所定の閾値以上である放送番組の全てを抽出して録画再生部によって自動的に録画させる必要はない。番組嗜好度の高い順から所定の閾値を超えない個数の放送番組を録画再生部によって自動的に録画させてもよい。【００７９】
≪電源オン時番組選択支援処理≫
次に、番組選択支援装置１における電源オン時の番組選択支援処理の詳細について説明する。【００８０】
図５は、番組選択支援装置１における電源オン時の番組選択支援処理の処理フローを示すフローチャートである。【００８１】
まず、機器制御部１２が電源部２８を制御して番組選択支援装置１の主電源を投入すると（ステップＳ２０１）、番組推薦部２０の嗜好度判定部２０ａは、番組嗜好情報記憶部１７から現在放送中の放送番組に対応する番組嗜好度を抽出する（ステップＳ２０２）。具体的には、嗜好度判定部２０ａは、番組情報記憶部１６から番組情報を読み出し、この読み出された番組情報と内部に備えられた時計が計時する現在時刻とに基づいて、現在放送中である放送番組の番組ＩＤを抽出し、その番組ＩＤと関連付けられた番組嗜好度を抽出する。【００８２】
次に、嗜好度判定部２０ａは、第１の放送受信部１０が番組嗜好度の最も高い放送番組を受信しているか否かを判定する（ステップＳ２０３）。具体的には、嗜好度判定部２０ａは、ステップＳ２０２において抽出した現在放送中の放送番組に対応する番組嗜好度の中から最も高い番組嗜好度を放送中最高番組嗜好度として抽出する。【００８３】
さらに、嗜好度判定部２０ａは、機器制御部１２から、表示部２１に表示している映像音声信号に対応する番組ＩＤが供給されると、この番組ＩＤに対応する番組嗜好情報を表示番組嗜好度として抽出する。そして、嗜好度判定部２０ａは、抽出した放送中最高番組嗜好度が、抽出した表示番組嗜好度より高いか否かを判定する。【００８４】
次に、番組推薦部２０の閾値判定部２０ｂは、嗜好度判定部２０ａにより放送中最高番組嗜好度が表示番組嗜好度より高いと判定された場合、放送中最高番組嗜好度が、所定の閾値以上か否かを判定する（ステップＳ２０４）。【００８５】
放送番組は、その時間帯により、番組嗜好度が高い放送番組を放送している時間帯と、番組嗜好度が低い放送番組を放送している時間帯があると考えられる。そこで、閾値を設定することによって、番組嗜好度が低い放送番組を放送している時間帯の放送番組を番組選択支援の対象から外すことができる。【００８６】
そのため、この閾値は、高すぎると、視聴者が視聴したいと思う放送番組についてオンスクリーン情報を表示する等の番組選択支援を実行できなくなり、低すぎると、視聴者が視聴したいと思わない放送番組についてもオンスクリーン情報を表示する等の番組選択支援を実行してしまい、視聴者に不快感を与えることになる。そのため、提供者や視聴者等が予め適正な値を設定しておく必要がある。なお、閾値判定部２０ｂを設けることが好ましいが、閾値判定部２０ｂを省略してもよい。【００８７】
次に、閾値判定部２０ｂにより閾値以上と判定された場合、番組推薦部２０の録画判定部２０ｃは、ネットワーク３を介してテレビジョン録画機２からこのテレビジョン録画機２が録画中である番組情報を録画情報として受信する（ステップＳ２０５）。【００８８】
そして、録画判定部２０ｃは、ステップＳ２０５において受信した録画情報の中に、ステップＳ２０３において抽出された放送中最高番組嗜好度に対応する放送番組の番組情報が含まれているか否かを判定する（ステップＳ２０６）。【００８９】
次に、ステップＳ２０６において、放送中最高番組嗜好度に対応する放送番組の番組情報が含まれていないと判定された場合、機器制御部１２の表示決定部１２ａは、オンスクリーン情報を表示する設定がされているか否かを判定する（ステップＳ２０７）。具体的には、表示決定部１２ａは、視聴者または装置の提供者によって予め設定された設定値に基づいて、放送中最高番組嗜好度に対応する放送番組の映像音声信号を表示部２１に表示させるか、放送中最高番組嗜好度に対応する放送番組に関するオンスクリーン情報を表示部２１に表示させるかを決定する（ステップＳ２０７）。【００９０】
ステップＳ２０７において、表示決定部１２ａにより、オンスクリーン情報表示の設定がされていないと判定された場合には、表示・録画制御部１２ｂは、第１の放送受信部１０に、放送中最高番組嗜好度に対応する放送番組を受信させ、この受信した映像音声信号を表示部２１に表示させる（ステップＳ２０８）。【００９１】
一方、ステップＳ２０７において、表示決定部１２ａにより、オンスクリーン情報表示の設定がされていると判定された場合には、表示・録画制御部１２ｂは、放送中最高番組嗜好度に対応する放送番組が存在し、その番組が放送中であることを示すオンスクリーン情報を表示部２１に表示させる（ステップＳ２０９）。【００９２】
図６（Ａ）は、ステップＳ２０８において、機器制御部１２が、第１の放送受信部１０が受信するチャンネルを放送中最高番組嗜好度に対応する放送番組を放送しているチャンネルに切替えた画面１１０を示している。この際、表示・録画制御部１２ｂによって、ＯＳＤ（On Screen Display）機能を用いて画面１１０上にチャンネルを切替えたことを視聴者に知らせるための例えば文字情報よりなるオンスクリーン情報１１１を表示することが好ましい。ここではオンスクリーン情報１１１は、「番組選択支援でＣＨ（チャンネル）２０１「ヨーロッパサッカー」に切替えました」なる文字列であり、番組選択支援によってチャンネルを自動的に切替えたことを視聴者に知らせるものであることが好ましい。【００９３】
図６（Ｂ）は、ステップＳ２０９において、表示・録画制御部１２ｂにより表示部２１に表示されたオンスクリーン情報の一例を示している。図６（Ｂ）に示すように、表示部２１には、主電源が投入された際に第１の放送受信部１０が受信しているチャンネルの放送番組の画面１０１が表示されている。【００９４】
そして、機器制御部１２の表示・録画制御部１２ｂは、ＯＳＤ機能を用いて画面１０１上にオンスクリーン情報１０２を重畳させて表示する。【００９５】
このオンスクリーン情報１０２は、一例として、矩形の枠画像内に、放送中最高番組嗜好度に対応する放送番組の番組タイトル（ここでは、「ヨーロッパサッカー」）を含む文字列と、放送中最高番組嗜好度に対応する放送番組を表示部２１に表示するための表示ボタン１０４と、放送中最高番組嗜好度に対応する放送番組の映像音声信号を映像音声信号記録部１３に記録させるための録画ボタン１０５と、オンスクリーン情報１０２を表示部２１から消去するための戻るボタン１０６とが表示されたものである。【００９６】
このように、番組選択支援装置１によれば、主電源投入時に、視聴者の嗜好に適合する放送番組のうち、テレビジョン録画機２に録画されていない放送番組を対象として、チャンネルを切替えたりオンスクリーン情報を表示したりするので、視聴者に不快感を与えることなく、放送番組の番組選択支援を行うことができる。【００９７】
≪出力支援≫
次に、番組選択支援装置１における出力処理の詳細について説明する。【００９８】
図７は、番組選択支援装置１における出力処理の処理フローを示すフローチャートである。【００９９】
機器制御部１２の表示・録画制御部１２ｂは、表示部２１に表示されたオンスクリーン情報１０２のうち、視聴者の操作により入力部２２から供給された操作信号に基づいて、選択されたボタンが表示ボタン１０４か否かを判定する（ステップＳ３０１）。【０１００】
ステップＳ３０１において、選択されたボタンが表示ボタン１０４であると判定された場合に、表示・録画制御部１２ｂは、第１の放送受信部１０に放送中最高番組嗜好度に対応する放送番組を受信させ、受信した放送番組の映像音声信号を表示部２１に表示させる（ステップＳ３０２）。【０１０１】
一方、ステップＳ３０１において、選択されたボタンが表示ボタン１０４ではないと判定された場合に、選択されたボタンが録画ボタン１０５か否かを判定する（ステップＳ３０３）。【０１０２】
ステップＳ３０３において、選択されたボタンが録画ボタン１０５であると判定された場合に、表示・録画制御部１２ｂは、第１の放送受信部１０に受信させる放送番組を変更することなく、第２の放送受信部１１に放送中最高番組嗜好度に対応する放送番組を受信させる。そして、表示・録画制御部１２ｂは、第２の放送受信部１１が受信した放送番組の映像音声信号を映像音声信号記録部１３に記録させると共に、受信した放送番組の番組情報を番組情報記憶部１６に記録させる（ステップＳ３０４）。【０１０３】
一方、ステップＳ３０３において、選択されたボタンが録画ボタン１０５ではないと判定された場合、選択されたボタンは戻るボタン１０６であると判定し、表示・録画制御部１２ｂは、オンスクリーン情報１０２を消去する（ステップＳ３０５）。【０１０４】
以上のように、本発明の実施例１である番組選択支援装置１によれば、表示されたオンスクリーン情報１０２から視聴者の操作に応じて、視聴者の嗜好に適合する放送番組のうち、ネットワーク３を介して接続されたテレビジョン録画機２により録画されていない放送番組を決定し、この決定した放送番組を表示したり、または決定した放送番組が放送中であることを示すオンスクリーン情報１０２を表示したりする。【０１０５】
さらに、番組選択支援装置１は、オンスクリーン情報１０２を表示した場合に、表示されたオンスクリーン情報１０２に対する視聴者の操作に応じて、視聴者の嗜好に適合する放送番組を表示部２１に表示させたり、映像音声信号記録部１３に録画させたりすることができる。【０１０６】
なお、実施例１の番組選択支援装置１においては、録画再生部として番組選択支援装置１に内蔵されている映像音声信号記録部１３とネットワーク３に接続されているテレビジョン録画機２とを用いているが、いずれか一方のみとしてもよい。番組選択支援装置１に内蔵の録画再生部と外部の録画再生部の使い分けは上述した使い分けに限定されるものではない。上述した実施例１の説明では、テレビジョン録画機２に録画されていない放送番組を対象として、番組選択支援のためチャンネルを切替えたりオンスクリーン情報を表示したりしたが、内蔵の録画再生部である映像音声信号記録部１３に録画されていない放送番組を対象として、同様の番組選択支援を行うように構成してもよい。【０１０７】
番組選択支援装置１がネットワーク接続部２３を備えない構成で、映像音声信号記録部１３に対してのみ放送番組の録画を行う場合には、図５に示す電源オン時の番組選択支援処理の処理フローにおいて、ステップＳ２０５は映像音声信号記録部１３に対する録画情報を取得すればよい。【０１０８】
ところで、実施例１における「主電源の投入」との記載箇所については、物理的な電源オンの場合だけでなく、スタンバイ状態（スリープ状態）から通常稼働状態に遷移する場合や、機器全体のリセット動作後の再起動により通常稼働状態に遷移する場合等、機器の起動を含むものである。【０１０９】
［実施例２］
本発明の実施例２は、最も嗜好度が高い放送番組を表示部に表示させるか、または最も嗜好度が高い放送番組が存在することを知らせるオンスクリーン情報を表示部に表示させる番組選択支援を行うに際し、録画再生部において録画中である放送番組の番組情報を示す録画情報に応じて番組選択支援を行うか否かを判断するように構成した番組選択支援装置である。また、実施例２は、番組選択支援を行うか否かを視聴者が視聴している一の放送番組の終了を検出した場合、または、録画再生部によって再生している一の録画放送番組の再生終了を検出した場合に行うものである。ここで、録画再生部は、放送番組受信装置に内蔵されている放送番組の録画再生部であってもよく、例えばネットワークを介して接続された録画再生部であってもよい。以下、実施例２の番組選択支援装置について説明する。【０１１０】
＜番組選択支援装置の構成＞
図８は本発明の実施例２である番組選択支援装置を示す構成図である。図８においても、録画再生部を内蔵すると共に、ネットワークを介して外部の録画再生部に接続する機能を有する放送番組受信装置が番組選択支援装置１Ａを構成している例を示している。番組選択支援装置１Ａは、第１の放送受信部１０と、第２の放送受信部１１と、機器制御部２５と、映像音声信号記録部１３と、操作履歴情報記憶部１４と、録画予約情報記憶部１５と、番組情報記憶部１６と、番組嗜好情報記憶部１７と、嗜好分析部１８と、番組推薦部２４と、表示部２１と、入力部２２と、ネットワーク接続部２３とを備える。表示部２１は番組選択支援装置１（放送番組受信装置）の外部に設けられていて、番組選択支援装置１Ａと接続されている状態であってもよい。【０１１１】
ここで、図８に示す実施例２の番組選択支援装置１Ａにおいて、第１の放送受信部１０と、第２の放送受信部１１と、映像音声信号記録部１３と、操作履歴情報記憶部１４と、録画予約情報記憶部１５と、番組情報記憶部１６と、番組嗜好情報記憶部１７と、嗜好分析部１８と、表示部２１と、入力部２２と、ネットワーク接続部２３は、それぞれ図１に示す実施例１の番組選択支援装置１が備える同一符号が付された構成と同一であるので、説明を省略する。【０１１２】
機器制御部２５は、テレビジョン放送の受信、表示、記録、再生等のテレビジョン受信装置（放送番組受信装置）としての基本機能を制御する。【０１１３】
そして、機器制御部２５は、入力部２２から受信した操作信号に基づいて、主電源の投入または切断を行ったり、第１の放送受信部１０及び第２の放送受信部１１が受信するチャンネルを設定したり、映像音声信号記録部１３に記録された映像音声信号の再生を開始したりする。【０１１４】
また、機器制御部２５は、チャンネル変更等による放送番組の視聴履歴や、映像音声信号記録部１３に記録された映像音声信号の再生履歴を操作履歴情報として収集する。具体的には、入力部２２から受信した操作信号に基づいて、視聴番組のチャンネル切替えを要求する操作信号、及び映像音声信号記録部１３に記録された映像音声信号の再生を要求する操作信号から、操作履歴を生成し、視聴者が視聴した放送番組の映像音声信号の番組ＩＤと関連づけて操作履歴情報として操作履歴情報記憶部１４へ供給する。【０１１５】
また、機器制御部２５は、その機能上、表示決定部２５ａと、選択判定部２５ｂと、表示制御部２５ｃと、録画制御部２５ｄとを備える。【０１１６】
表示決定部２５ａは、後述する番組推薦部２４の録画判定部２４ｃが、ネットワーク３に接続された外部の録画再生部であるテレビジョン録画機２から受信した録画中である番組情報を示す録画情報の中に、最も高い番組嗜好度に対応する放送番組の番組情報が含まれないと判定した場合に、最も高い番組嗜好度に対応する放送番組を表示部２１に表示させるか、最も高い番組嗜好度に対応する放送番組が存在することを視聴者に知らせるためのオンスクリーン情報を表示部２１に表示させるかを決定する。【０１１７】
選択判定部２５ｂは、表示決定部２５ａによる決定に基づいて、表示部２１にオンスクリーン情報が表示された場合に、外部入力操作によりオンスクリーン情報の表示ボタンが選択されたか、または録画ボタンが選択されたかを判定する。【０１１８】
表示制御部２５ｃは、選択判定部２５ｂにより表示ボタンが選択されたと判定された場合は、最も高い番組嗜好度に対応する放送番組の映像音声信号が映像音声信号記録部１３に記録をされているか否かを判定する。表示制御部２５ｃは、最も高い番組嗜好度に対応する放送番組の映像音声信号が映像音声信号記録部１３に記憶されていると判定した場合は、この記録されている映像音声信号を先頭から再生し、記録されていないと判定した場合は、最も高い番組嗜好度に対応する放送番組を第１の放送受信部１０により受信させ、受信した放送番組の映像音声信号を表示部２１に表示させる。【０１１９】
録画制御部２５ｄは、選択判定部２５ｂにより録画ボタンが選択された判定された場合は、最も高い番組嗜好度に対応する放送番組の映像音声信号が映像音声信号記録部１３に記録されているか否かを判定する。録画制御部２５ｄは、記録されていないと判定した場合は、最も高い番組嗜好度に対応する放送番組を第２の放送受信部により受信させ、受信した放送番組の映像音声信号を映像音声信号記録部１３に記録させる。【０１２０】
番組推薦部２４は、その機能上、嗜好度判定部２４ａと、閾値判定部２４ｂと、録画判定部２４ｃとを備える。【０１２１】
嗜好度判定部２４ａは、第１の放送受信部１０により受信した放送番組の終了を検出した場合、または映像音声信号記録部１３に記録された映像音声信号の再生の終了を検出した場合に、番組情報記憶部１６及び番組嗜好情報記憶部１７から、それぞれ番組情報及び番組嗜好情報を読み出し、この読み出された番組情報と番組嗜好情報とに基づいて、現在放送中の放送番組に対応する番組嗜好度の中から最も高い番組嗜好度を抽出し、この抽出した最も高い番組嗜好度の放送番組が、表示部２１に表示されているか、または映像音声信号記録部１３に記録されているか否かを判定する。【０１２２】
閾値判定部２４ｂは、嗜好度判定部２４ａにより、最も高い番組嗜好度が表示部２１に表示されておらず、かつ最も高い番組嗜好度の映像音声信号が映像音声信号記録部１３に記録されていないと判定された場合に、最も高い番組嗜好度が所定の閾値以上か否かを判定する。【０１２３】
録画判定部２４ｃは、閾値判定部２４ｂにより閾値以上と判定された場合に、ネットワーク３に接続されたテレビジョン録画機２から、テレビジョン録画機２が録画中である番組情報を、ネットワーク３を介して録画情報として受信し、この受信した録画情報の中に最も高い番組嗜好度に対応する放送番組の番組情報が含まれているか否かを判定する。【０１２４】
なお、番組選択支援装置１Ａは、映像音声信号記録部１３、操作履歴情報記憶部１４、録画予約情報記憶部１５と、番組情報記憶部１６、番組嗜好情報記憶部１７を別々の記憶装置として構成しているが、各々の記憶部を部分的に共用したり、全ての記憶部を１つの記憶装置で共用したりする構成としてもよい。【０１２５】
図２に示すように、実施例２の番組選択支援装置１Ａは、実施例１の番組選択支援装置１と同様、ネットワーク３を介してテレビジョン録画機２と接続され、番組選択支援システム２００を構成する。【０１２６】
このような番組選択支援システム２００において、番組選択支援装置１Ａは、視聴者が視聴している放送番組の終了を検出した場合に、視聴者の嗜好やネットワーク３を介してテレビジョン録画機２から受信した録画情報に基づいて、最も嗜好度が高い放送番組の映像音声信号を表示させ、または最も嗜好度が高い放送番組が存在することを視聴者に知らせるためのオンスクリーン情報を表示させる。オンスクリーン情報を表示させるよう設定した場合、番組選択支援装置１Ａは、オンスクリーン情報に対する視聴者の操作に基づいて最も嗜好度が高い放送番組を表示したり、映像音声信号記録部１３に録画させたりする。映像音声信号記録部１３の代わりにテレビジョン録画機２に録画させてもよい。【０１２７】
なお、番組選択支援装置１Ａ以外の１つまたは２つ以上のネットワーク対応機器がネットワーク３に接続されている場合に、これらのネットワーク対応機器の中から番組選択支援装置１Ａが録画情報を受信するテレビジョン録画機２を選択する際には、番組選択支援装置１Ａの視聴者がテレビジョン録画機２のＩＰアドレス等を指定して選択するようにしてもよいし、ＵＰｎＰのプロトコルに基づいて、自動的にテレビジョン録画機２を発見するようにしてもよい。【０１２８】
＜テレビジョン録画機２の構成＞
番組選択支援装置１Ａにネットワーク３を介して接続されるテレビジョン録画機２は、番組選択支援装置１にネットワーク３を介して接続されるテレビジョン録画機２と同一の構成を有するので、説明を省略する。【０１２９】
＜番組選択支援装置１Ａの作用＞
番組選択支援装置１Ａは、主に嗜好分析処理、視聴終了時番組選択支援処理、及び出力処理を行う。よって以下に、これら各処理について詳細に説明する。【０１３０】
≪嗜好分析処理≫
番組選択支援装置１Ａの嗜好分析部１８における嗜好分析処理については、番組選択支援装置１の嗜好分析部１８における嗜好分析処理と同一処理であるので、説明を省略する。【０１３１】
≪視聴終了時番組選択支援処理≫
次に、番組選択支援装置１Ａにおける視聴終了時の番組選択支援処理の詳細について説明する。【０１３２】
図９は、番組選択支援装置１Ａにおける視聴終了時の番組選択支援処理の処理フローを示すフローチャートである。【０１３３】
まず、番組推薦部２４の嗜好度判定部２４ａは、機器制御部２５から供給される信号により、第１の放送受信部１０により受信している一の放送番組の終了を検出した場合、または映像音声信号記録部１３に記録されている一の録画放送番組の再生の終了を検出した場合（ステップＳ４０１）に、現在放送中の放送番組に対応する全ての番組嗜好度を抽出する（ステップＳ４０２）。具体的には、嗜好度判定部２４ａは、番組情報記憶部１６から番組情報を読み出し、この読み出された番組情報と内部に備えられた時計が計時する現在時刻とに基づいて、現在放送中である放送番組の番組ＩＤを抽出し、その番組ＩＤと関連付けられた番組嗜好度を抽出する。【０１３４】
次に、嗜好度判定部２４ａは、番組嗜好度の最も高い放送番組を表示、または手動録画しているか否かを判定する（ステップＳ４０３）。具体的には、嗜好度判定部２４ａは、ステップＳ４０２において抽出した現在放送中の放送番組に対応する番組嗜好度の中から最も高い番組嗜好度を放送中最高番組嗜好度として抽出する。【０１３５】
そして、嗜好度判定部２４ａは、機器制御部２５から、表示部２１に表示している映像音声信号に対応する番組ＩＤが供給されると、この番組ＩＤに対応する番組嗜好情報を表示番組嗜好度として抽出する。さらに、嗜好度判定部２４ａは、機器制御部２５から、映像音声信号記録部１３に記録している映像音声信号に対応する番組ＩＤが供給されると、この番組ＩＤに対応する番組嗜好情報を手動録画番組嗜好度として抽出する。【０１３６】
嗜好度判定部２４ａは、この抽出した放送中最高番組嗜好度が、抽出した表示番組嗜好度、及び抽出した手動録画番組嗜好度より高いか否かを判定する。これにより、嗜好度判定部２４ａは、抽出した放送中最高番組嗜好度が、抽出した表示番組嗜好度、及び抽出した手動録画番組嗜好度より高い場合には、番組嗜好度の最も高い放送番組を表示、または手動録画していないと判定する。【０１３７】
次に、番組推薦部２４の閾値判定部２４ｂは、番組嗜好度の最も高い放送番組を表示、または手動録画していないと判定された場合、放送中最高番組嗜好度が、所定の閾値以上か否かを判定する（ステップＳ４０４）。【０１３８】
放送番組は、その時間帯により、番組嗜好度が高い放送番組を放送している時間帯と、番組嗜好度が低い放送番組を放送している時間帯があると考えられる。そこで、閾値を設定することによって、番組嗜好度が低い放送番組を放送している時間帯の放送番組を番組選択支援の対象から外すことができる。【０１３９】
そのため、この閾値は、高すぎると、視聴者が視聴したいと思う放送番組についてオンスクリーン情報を表示する等の番組選択支援をできなくなり、低すぎると、視聴者が視聴したいと思わない放送番組についてもオンスクリーン情報を表示する等の番組選択支援をしてしまい、視聴者に不快感を与えることになる。そのため、提供者や視聴者等が予め適正な値を設定しておく必要がある。なお、閾値判定部２４ｂを設けることが好ましいが、閾値判定部２４ｂを省略してもよい。【０１４０】
次に、閾値判定部２４ｂにより閾値以上と判定された場合、番組推薦部２４の録画判定部２４ｃは、ネットワーク３を介してテレビジョン録画機２からこのテレビジョン録画機２が録画中である番組情報を録画情報として受信する（ステップＳ４０５）。【０１４１】
そして、録画判定部２４ｃは、ステップＳ４０５において受信した録画情報の中に、ステップＳ４０３において抽出された放送中最高番組嗜好度に対応する放送番組の番組情報が含まれているか否かを判定する（ステップＳ４０６）。【０１４２】
次に、ステップＳ４０６において、放送中最高番組嗜好度に対応する放送番組の番組情報が含まれていないと判定された場合、機器制御部２５の表示決定部２５ａは、オンスクリーン情報表示の設定がされているか否かを判定する（ステップＳ４０７）。具体的には、表示決定部１２ａは、視聴者、または装置の提供者によって予め設定された設定値に基づいて、放送中最高番組嗜好度に対応する放送番組を表示部２１に表示させるか、放送中最高番組嗜好度に対応する放送番組が存在することを示すオンスクリーン情報を表示部２１に表示させるかを決定する。【０１４３】
ステップＳ４０７において、表示決定部２５ａにより、オンスクリーン情報表示の設定がされていないと判定された場合、表示制御部２５ｃは、放送中最高番組嗜好度に対応する放送番組の映像音声信号が自動録画されているか、即ち放送中最高番組嗜好度に対応する放送番組が第２の放送受信部１１により受信され、受信した放送番組の映像音声信号が映像音声信号記録部１３に記録されているか否かを判定する（ステップＳ４０８）。【０１４４】
ステップＳ４０８において、自動録画されていると判定された場合、表示制御部２５ｃは、この記録されている映像音声信号を映像音声信号記録部１３から読み出し、この読み出した映像音声信号の先頭から再生し、表示部２１に表示させる（ステップＳ４１０）。【０１４５】
一方、自動録画されていないと判定された場合、表示制御部２５ｃは、放送中最高番組嗜好度に対応する放送番組を第１の放送受信部１０により受信させ、図６（Ａ）に示すように、受信した放送番組の映像音声信号を表示部２１に表示させる（ステップＳ４０９）。【０１４６】
また、ステップＳ４０７において、表示決定部２５ａにより、オンスクリーン情報表示の設定がされていると判定された場合、表示決定部２５ａは、図６（Ｂ）に示すように、放送中最高番組嗜好度に対応する放送番組が存在することを示すオンスクリーン情報１０２を表示部２１に表示させる（ステップＳ４１１）。【０１４７】
このように、本発明の実施例２である番組選択支援装置１Ａによれば、視聴者が視聴している放送番組の終了を検出した場合に、視聴者の嗜好に適合する放送番組のうち、テレビジョン録画機２に録画されていない放送番組を表示部２に表示させたり、オンスクリーン情報１０２を表示したりするので、視聴者に不快感を与えることなく、放送番組の番組選択支援を行うことができる。【０１４８】
≪出力支援≫
次に、番組選択支援装置１Ａにおける出力処理の詳細について説明する。【０１４９】
図１０は、番組選択支援装置１Ａにおける出力処理の処理フローを示すフローチャートである。【０１５０】
機器制御部２５の選択判定部２５ｂは、表示部２１に表示されたオンスクリーン情報１０２のうち、視聴者の操作により入力部２２から供給された操作信号に基づいて、選択されたボタンが表示ボタン１０４か否かを判定する（ステップＳ５０１）。【０１５１】
ステップＳ５０１において、選択されたボタンが表示ボタン１０４であると判定された場合に、表示制御部２５ｃは、放送中最高番組嗜好度に対応する放送番組が自動録画されているか否かを判定する（ステップＳ５０２）。具体的には、表示制御部２５ｃは、放送中最高番組嗜好度に対応する放送番組の映像音声信号を映像音声信号記録部１３に記録しているか否かを判定する。【０１５２】
次に、ステップＳ５０２において、放送中最高番組嗜好度に対応する放送番組が自動録画されていないと判定された場合、表示制御部２５ｃは、放送中最高番組嗜好度に対応する放送番組を第１の放送受信部１０により受信させ、この受信した放送番組の映像音声信号を表示部２１に表示させる（ステップＳ５０３）。【０１５３】
一方、ステップＳ５０２において、放送中最高番組嗜好度に対応する放送番組が自動録画されていると判定された場合、表示制御部２５ｃは、映像音声信号記録部１３に記録している放送中最高番組嗜好度に対応する映像音声信号を先頭から再生し、表示部２１に表示させる（ステップＳ５０４）。【０１５４】
また、ステップＳ５０１において、選択されたボタンが表示ボタン１０４ではないと判定された場合に、選択されたボタンが録画ボタン１０５か否かを判定する（ステップＳ５０５）。【０１５５】
ステップＳ５０５において、選択されたボタンが録画ボタン１０５であると判定された場合、録画制御部２５ｄは、放送中最高番組嗜好度に対応する放送番組が自動録画されているか否かを判定する（ステップＳ５０７）。具体的には、録画制御部２５ｄは、放送中最高番組嗜好度に対応する放送番組の映像音声信号を映像音声信号記録部１３に記録しているか否かを判定する。【０１５６】
ステップＳ５０７において、放送中最高番組嗜好度に対応する放送番組が自動録画されていると判定された場合、録画制御部２５ｄは、映像音声信号記録部１３に記録している放送中最高番組嗜好度に対応する映像音声信号と関連づけられた自動手動識別子を自動から手動に変更する。（ステップＳ５０８）。映像音声信号記録部１３は、残りの記憶容量が少なくなると、自動手動識別子が自動に設定されている映像音声信号から順に自動的に削除する。そのため、自動手動識別子を自動から手動に変更することによって、放送中最高番組嗜好度に対応する映像音声信号が自動的に削除されることを防止できる。【０１５７】
一方、ステップＳ５０７において、放送中最高番組嗜好度に対応する放送番組が自動録画されていないと判定された場合、録画制御部２５ｄは、録画を開始する（ステップＳ５０９）。具体的には、録画制御部２５ｄは、放送中最高番組嗜好度に対応する映像音声信号を映像音声信号記録部１３に記憶させる（ステップＳ５０９）。【０１５８】
また、ステップＳ５０５において、選択されたボタンが録画ボタン１０５ではないと判定された場合、選択されたボタンは戻るボタン１０６であると判定し、選択判定部２５ｂは、オンスクリーン情報１０２を消去する（ステップＳ５０６）。【０１５９】
以上のように、本発明の実施例２である番組選択支援装置１Ａによれば、表示されたオンスクリーン情報１０２から視聴者の操作に応じて、視聴者の嗜好に適合する放送番組のうち、ネットワークを介して接続されたテレビジョン録画機２により録画または録画予約されていない放送番組を決定し、この決定した放送番組を表示したり、または決定した放送番組に関するオンスクリーン情報１０２を表示したりする。また、視聴者の嗜好に適合する放送番組が自動録画されているか否かによって、先頭から再生したりすることができる。【０１６０】
さらに、番組選択支援装置１は、オンスクリーン情報１０２を表示した場合に、表示されたオンスクリーン情報１０２に対する視聴者の操作に応じて、視聴者の嗜好に適合する放送番組を表示したり、記録したりすることができる。【０１６１】
なお、実施例２の番組選択支援装置１Ａにおいては、録画再生部として番組選択支援装置１Ａに内蔵されている映像音声信号記録部１３とネットワーク３に接続されているテレビジョン録画機２とを用いているが、いずれか一方のみとしてもよい。番組選択支援装置１Ａに内蔵の録画再生部と外部の録画再生部の使い分けは上述した使い分けに限定されるものではない。上述した実施例２の説明では、テレビジョン録画機２に録画されていない放送番組を対象として、番組選択支援のためチャンネルを切替えたりオンスクリーン情報を表示したりしたが、内蔵の録画再生部である映像音声信号記録部１３に録画されていない放送番組を対象として、同様の番組選択支援を行うように構成してもよい。【０１６２】
番組選択支援装置１Ａがネットワーク接続部２３を備えない構成で、映像音声信号記録部１３に対してのみ放送番組の録画を行う場合には、図９に示す放送番組の終了時の番組選択支援処理の処理フローにおいて、ステップＳ４０５は映像音声信号記録部１３に対する録画情報を取得すればよい。【０１６３】
［実施例３］
本発明の実施例３は、最も嗜好度が高い放送番組を表示部に表示させるか、または最も嗜好度が高い放送番組が存在することを知らせるオンスクリーン情報を表示部に表示させる番組選択支援を行うに際し、録画再生部において録画中である放送番組の番組情報を示す録画情報に応じて番組選択支援を行うか否かを判断するように構成した番組選択支援装置である。また、実施例３は、番組選択支援を行うか否かを現在時刻から所定の時間内に放送される放送番組に対して行うものである。ここで、録画再生部は、放送番組受信装置に内蔵されている放送番組の録画再生部であってもよく、例えばネットワークを介して接続された録画再生部であってもよい。以下、実施例３の番組選択支援装置について説明する。【０１６４】
＜番組選択支援装置の構成＞
図１１は、本発明の実施例３である番組選択支援装置を示す構成図である。図１１においても、録画再生部を内蔵すると共に、ネットワークを介して外部の録画再生部に接続する機能を有する放送番組受信装置が番組選択支援装置１Ｂを構成している例を示している。【０１６５】
番組選択支援装置１Ｂは、第１の放送受信部１０と、第２の放送受信部１１と、機器制御部２７と、映像音声信号記録部１３と、操作履歴情報記憶部１４と、録画予約情報記憶部１５と、番組情報記憶部１６と、番組嗜好情報記憶部１７と、嗜好分析部１８と、番組推薦部２６と、表示部２１と、入力部２２と、ネットワーク接続部２３とを備える。【０１６６】
ここで、図１１に示す実施例３の番組選択支援装置１Ｂにおいて、第１の放送受信部１０と、第２の放送受信部１１と、映像音声信号記録部１３と、操作履歴情報記憶部１４と、録画予約情報記憶部１５と、番組情報記憶部１６と、番組嗜好情報記憶部１７と、嗜好分析部１８と、表示部２１と、入力部２２と、ネットワーク接続部２３とは、それぞれ図１に示す実施例２の番組選択支援装置１が備える同一符号が付された構成と同一であるので、説明を省略する。【０１６７】
機器制御部２７は、テレビジョン放送の受信、表示、記録、再生等のテレビジョン受信装置（放送番組受信装置）としての基本機能を制御する。【０１６８】
そして、機器制御部２７は、入力部２２から受信した操作信号に基づいて、主電源の投入または切断を行ったり、第１の放送受信部１０及び第２の放送受信部１１が受信するチャンネルを設定したり、映像音声信号記録部１３に記録された映像音声信号の再生を開始したりする。【０１６９】
また、機器制御部２７は、チャンネル変更等による放送番組の視聴履歴や、映像音声信号記録部１３に記録された映像音声信号の再生履歴を操作履歴情報として収集する。具体的には、入力部２２から受信した操作信号に基づいて、視聴番組のチャンネル切替えを要求する操作信号、及び映像音声信号記録部１３に記録された映像音声信号の再生を要求する操作信号から、操作履歴を生成し、視聴者が視聴した放送番組の映像音声信号の番組ＩＤと関連づけて操作履歴情報として操作履歴情報記憶部１４へ供給する。【０１７０】
また、機器制御部２７は、その機能上、表示決定部２７ａと、表示・録画制御部２７ｂとを備える。【０１７１】
表示決定部２７ａは、後述する番組推薦部２６の録画判定部２６ｃにより、最も番組嗜好度が高い放送番組を録画するための録画予約情報が、録画予約情報記憶部１５に記憶された録画予約情報、またはネットワーク３を介してテレビジョン録画機２より受信した録画予約情報に含まれないと判定された場合に、所定の設定値に基づいて、最も高い番組嗜好度に対応する放送番組の映像音声信号を表示部２１に表示させるか、または最も高い番組嗜好度に対応する放送番組が存在することを視聴者に知らせるためのオンスクリーン情報を表示部２１に表示させるかを決定する。【０１７２】
表示・録画制御部２７ｂは、表示決定部２７ａにより表示部２１にオンスクリーン情報が表示された場合に、入力部２２から、視聴者による入力操作により表示部２１に表示されたオンスクリーン情報の表示ボタンが選択されたことを示す操作信号が供給されると、最も高い番組嗜好度に対応する放送番組の放送開始時刻になったときに、最も高い番組嗜好度に対応する放送番組の映像音声信号を表示部２１に表示させる。また、表示・録画制御部２７ｂは、入力部２２から、視聴者による入力操作により表示部２１に表示されたオンスクリーン情報の録画ボタンが選択されたことを示す操作信号が供給されると、最も高い番組嗜好度に対応する放送番組の映像音声信号を第２の放送受信部１１により受信させ、受信した映像音声信号を映像音声信号記録部１３に記憶させる。【０１７３】
番組推薦部２６は、その機能上、嗜好度抽出部２６ｅと、閾値判定部２６ｂと、嗜好度判定部２６ａと、録画判定部２６ｃとを備える。【０１７４】
嗜好度抽出部２６ｅは、番組情報記憶部１６及び番組嗜好情報記憶部１７から、それぞれ番組情報及び番組嗜好情報を読み出し、この読み出された番組情報及び番組嗜好情報に基づいて、現在時刻から所定の時間経過するまでの間に放送開始予定である放送番組の番組嗜好度を抽出する。ここでの所定の時間は、現在時刻から５分や１０分程度の比較的短時間であることが好ましい。【０１７５】
閾値判定部２６ｂは、嗜好度抽出部２６ｅにより抽出された番組嗜好度のうち所定の閾値以上の番組嗜好度があるか否かを判定する。【０１７６】
嗜好度判定部２６ａは、閾値判定部２６ｂにより所定の閾値以上の番組嗜好度があると判定され、かつ、この閾値以上と判定された番組嗜好度のうち最も高い番組嗜好度に対応する放送番組のチャンネルとは異なるチャンネルの放送番組の映像音声信号を表示部２１に表示している場合、または映像音声信号記録部１３に記録された映像音声信号を表示部２１に表示している場合、最も高い番組嗜好度が、表示部２１に表示している映像音声信号に対応する番組嗜好度より高いか否かを判定する。嗜好度抽出部２６ｅ及び嗜好度判定部２６ａは、現在時刻から所定の時間内に放送が開始される複数の放送番組に対する番組嗜好度の中から最も嗜好度の高い最高番組嗜好度を抽出し、第１の放送受信部１０が、最高番組嗜好度を有する放送番組を放送するチャンネルを受信しているか否かを判定する嗜好度抽出・判定部となっている。【０１７７】
録画判定部２６ｃは、最も高い番組嗜好度が、表示部２１に表示している映像音声信号に対応する番組嗜好度より高いと判定された場合に、この判定された最も番組嗜好度が高い放送番組を録画するための録画予約情報が、録画予約情報記憶部１５に記憶された録画予約情報、またはネットワーク３を介してテレビジョン録画機２より受信した録画予約情報に含まれるか否かを判定する。【０１７８】
なお、番組選択支援装置１Ｂは、映像音声信号記録部１３、操作履歴情報記憶部１４、録画予約情報記憶部１５と、番組情報記憶部１６、番組嗜好情報記憶部１７を別々の記憶装置として構成しているが、各々の記憶部を部分的に共用したり、全ての記憶部を１つの記憶装置で共用したりする構成としてもよい。【０１７９】
図２に示すように、実施例３の番組選択支援装置１Ｂは、実施例１の番組選択支援装置１と同様、ネットワーク３を介してテレビジョン録画機２と接続され、番組選択支援システム３００を構成する。【０１８０】
このような番組選択支援システム３００において、番組選択支援装置１Ｂは、視聴者が視聴していないチャンネルにおいて、視聴者の嗜好に適合する放送番組がまもなく放送開始される場合、視聴者の嗜好、録画予約情報記憶部１５に記憶された録画予約情報、及びネットワーク３を介してテレビジョン録画機２から受信した録画情報に基づいて、最も嗜好度が高い放送番組の映像音声信号を表示させ、または最も嗜好度が高い放送番組が存在していて、まもなく放送が開始されることを示すオンスクリーン情報を表示させ、このオンスクリーン情報に対する視聴者の操作に基づいて、最も嗜好度が高い放送番組を表示または録画する。【０１８１】
なお、番組選択支援装置１Ｂ以外の１つまたは２つ以上のネットワーク対応機器がネットワーク３に接続されている場合に、これらのネットワーク対応機器の中から番組選択支援装置１Ｂが録画情報を受信するテレビジョン録画機２を選択する際には、番組選択支援装置１Ｂの視聴者がテレビジョン録画機２のＩＰアドレス等を指定して選択するようにしてもよいし、ＵＰｎＰのプロトコルに基づいて、自動的にテレビジョン録画機２を発見するようにしてもよい。【０１８２】
＜テレビジョン録画機２の構成＞
番組選択支援装置１Ｂにネットワーク３を介して接続されるテレビジョン録画機２は、番組選択支援装置１にネットワーク３を介して接続されるテレビジョン録画機２と同一の構成を有するので、説明を省略する。【０１８３】
＜番組選択支援装置１Ｂの作用＞
番組選択支援装置１Ｂは、主に嗜好分析処理、放送開始前番組選択支援処理、及び出力処理を行う。よって以下に、これら各処理について詳細に説明する。【０１８４】
≪嗜好分析処理≫
番組選択支援装置１Ｂの嗜好分析部１８における嗜好分析処理については、番組選択支援装置１の嗜好分析部１８における嗜好分析処理と同一処理であるので、説明を省略する。【０１８５】
≪放送開始前番組選択支援処理≫
次に、番組選択支援装置１Ｂにおける放送開始前番組選択支援処理の詳細について説明する。【０１８６】
図１２は、番組選択支援装置１Ｂにおける放送開始前番組選択支援処理の処理フローを示すフローチャートである。なお、番組選択支援装置１Ｂは、例えば１分毎等、予め定められた時間間隔で放送開始前番組選択支援処理を実行する。【０１８７】
まず、番組推薦部２６の嗜好度抽出部２６ｅは、放送開始までの時間が閾値以内の放送番組全てに対応する番組嗜好度を抽出する（ステップＳ６０１）。具体的には、嗜好度抽出部２６ｅは、番組情報記憶部１６から番組情報を読み出し、この読み出された番組情報に基づいて、内部に備えられた時計が計時する現在時刻から所定時間経過するまでの間に放送開始予定である番組ＩＤを抽出する。そして、番組嗜好情報記憶部１７から番組嗜好情報を読み出し、読み出した番組嗜好情報から、抽出した番組ＩＤに対応する番組嗜好情報を抽出する。【０１８８】
次に、閾値判定部２６ｂは、ステップＳ６０１において抽出した番組嗜好度の中に、所定の閾値以上の番組嗜好度があるか否かを判定する（ステップＳ６０２）。【０１８９】
放送番組は、その時間帯により、番組嗜好度が高い放送番組を放送している時間帯と、番組嗜好度が低い放送番組を放送している時間帯があると考えられる。そこで、閾値を設定することによって、番組嗜好度が低い放送番組を放送している時間帯の放送番組を番組選択支援の対象から外すことができる。【０１９０】
そのため、この閾値は、高すぎると、視聴者が視聴したいと思う放送番組について子画面を表示する等の番組選択支援をできなくなり、低すぎると、視聴者が視聴したいと思わない放送番組についてもオンスクリーン情報を表示する等の番組選択支援をしてしまい、視聴者に不快感を与えることになる。そのため、提供者や視聴者等が予め適正な値を設定しておく必要がある。なお、閾値判定部２６ｂを設けることが好ましいが、閾値判定部２６ｂを省略してもよい。【０１９１】
ステップＳ６０２において、所定の閾値以上の番組嗜好度があると判定された場合、嗜好度判定部２６ａは、所定の閾値以上の番組嗜好度の中で、番組嗜好度の最も高い放送番組を放送しているチャンネルを視聴しているか否かを判定する（ステップＳ６０３）。具体的には、嗜好度判定部２６ａは、ステップＳ６０２において判定された所定の閾値以上の番組嗜好度の中で、最も高い番組嗜好度を放送開始前最高番組嗜好度として抽出し、ステップＳ６０１において読み出した番組情報に基づいて、この抽出した放送開始前最高番組嗜好度に対応する放送番組を放送するチャンネルを決定する。そして、嗜好度判定部２６ａは、放送開始前最高番組嗜好度に対応する放送番組を放送するチャンネルが現在放送している放送番組を表示部２１に表示しているか否かを判定する。【０１９２】
ステップＳ６０３において、番組嗜好度の最も高い放送番組を放送しているチャンネルを視聴していないと判定された場合、嗜好度判定部２６ａは、放送開始前最高番組嗜好度が、表示部２１に表示している映像音声信号の放送番組の番組嗜好度より高いか否かを判定する（ステップＳ６０４）。具体的には、嗜好度判定部２６ａは、機器制御部１２から供給された表示部２１に表示している映像音声信号に対応する番組ＩＤから、この番組ＩＤに対応する番組嗜好情報を表示番組嗜好度として抽出し、放送開始前最高番組嗜好度が、抽出した表示番組嗜好度より高いか否かを判定する（ステップＳ６０４）。【０１９３】
ステップＳ６０４において、嗜好度判定部２６ａにより放送前最高番組嗜好度が表示番組嗜好度より高いと判定された場合、録画判定部２６ｃは、放送前最高番組嗜好度に対応する放送番組が録画予約されているか否かを判定する（ステップＳ６０５）。具体的には、録画判定部２６ｃは、放送前最高番組嗜好度に対応する放送番組を録画するための録画予約情報が、録画予約情報記憶部１５に記憶された録画予約情報に含まれるか否かを判定する。【０１９４】
そして、ステップＳ６０５において、放送前最高番組嗜好度に対応する放送番組が録画予約されてないと判定された場合、録画判定部２６ｃは、ネットワーク３を介してテレビジョン録画機２から録画予約情報を受信する（ステップＳ６０６）。【０１９５】
そして、録画判定部２４ｃは、ステップＳ６０６において受信した録画予約情報の中に、放送前最高番組嗜好度に対応する放送番組を録画するための録画予約情報が含まれているか否かを判定する（ステップＳ６０７）。【０１９６】
次に、ステップＳ６０７において、放送前最高番組嗜好度に対応する放送番組を録画するための録画予約情報が含まれていないと判定された場合、機器制御部２７の表示決定部２７ａは、オンスクリーン情報表示の設定がされているか否かを判定する（ステップＳ６０８）。具体的には、表示決定部２７ａは、視聴者、または装置の提供者によって予め設定された設定値に基づいて、放送前最高番組嗜好度に対応する放送番組の映像音声信号を表示部２１に表示させるか、放送前最高番組嗜好度に対応する放送番組が放送開始になることを示すオンスクリーン情報を表示部２１に表示させるかを決定する。【０１９７】
ステップＳ６０８において、表示決定部２７ａにより、オンスクリーン情報表示の設定がされていないと判定された場合には、表示・録画制御部２７ｂは、第１の放送受信部１０に、放送前最高番組嗜好度に対応する放送番組を受信させ、この受信された映像音声信号を表示部２１に表示させる（ステップＳ６０９）。【０１９８】
一方、ステップＳ６０８において、表示決定部２７ａにより、オンスクリーン情報表示の設定がされていると判定された場合には、表示・録画制御部２７ｂは、図１３に示すように、放送前最高番組嗜好度に対応する放送番組がまもなく放送開始になることを示すオンスクリーン情報１１２を表示部２１に表示させる（ステップＳ６１０）。【０１９９】
このように、番組選択支援装置１Ｂによれば、視聴者が視聴しているチャンネルとは異なるチャンネルにおいて、まもなく視聴者の嗜好に適合する放送番組が放送開始される場合、視聴者の嗜好に適合する放送番組のうち、映像音声信号記録部１３及びテレビジョン録画機２に録画予約されていない放送番組についてオンスクリーン情報を表示するので、視聴者に不快感を与えることなく、放送番組の番組選択支援を行うことができる。【０２００】
≪出力支援≫
次に、番組選択支援装置１Ｂにおける出力処理の詳細について説明する。【０２０１】
図１４は、番組選択支援装置１Ｂにおける出力処理の処理フローを示したフローチャートである。【０２０２】
機器制御部２７の表示・録画制御部２７ｂは、表示部２１に表示されたオンスクリーン情報１１２のうち、視聴者の操作により入力部２２から供給された操作信号に基づいて、選択されたボタンが表示ボタン１０４か否かを判定する（ステップＳ７０１）。【０２０３】
ステップＳ７０１において、選択されたボタンが表示ボタン１０４であると判定された場合、出力制御手段２７ｂは、現在時刻が放送前最高番組嗜好度に対応する放送番組の放送開始時刻に一致すると、第１の放送受信部１０に、放送前最高番組嗜好度に対応する放送番組を受信させ、受信した放送番組の映像音声信号を表示部２１に表示させる（ステップＳ７０２）。【０２０４】
一方、ステップＳ７０１において、選択されたボタンが表示ボタン１０４ではないと判定された場合に、選択されたボタンが録画ボタン１０５か否かを判定する（ステップＳ７０３）。【０２０５】
ステップＳ７０３において、選択されたボタンが録画ボタン１０５であると判定された場合に、表示・録画制御部２７ｂは、現在時刻が放送前最高番組嗜好度に対応する放送番組の放送開始時刻に一致すると、第１の放送受信部１０に受信させる放送番組を変更することなく、第２の放送受信部１１に、放送前最高番組嗜好度に対応する放送番組を受信させると共に、受信した放送番組の映像音声信号を映像音声信号記録部１３に記録させ、受信した放送番組の番組情報を番組情報記憶部１６に記憶させる（ステップＳ７０４）。【０２０６】
一方、ステップＳ７０３において、選択されたボタンが録画ボタン１０５ではないと判定された場合、選択されたボタンは戻るボタン１０６であると判定し、表示・録画制御部２７ｂは、オンスクリーン情報１１２を消去する（ステップＳ７０５）。【０２０７】
以上のように、番組選択支援装置１Ｂによれば、表示されたオンスクリーン情報１１２から視聴者の操作に応じて、視聴者の嗜好に適合する放送番組のうち、ネットワーク３を介して接続されたテレビジョン録画機２により録画予約されていない放送番組を決定し、この決定した放送番組を表示したり、または決定した放送番組に関するオンスクリーン情報１１２を表示したりする。【０２０８】
さらに、番組選択支援装置１Ｂは、オンスクリーン情報１１２を表示した場合に、表示されたオンスクリーン情報１１２に対する視聴者の操作に応じて、視聴者の嗜好に適合する放送番組を表示したり、記録したりすることができる。【０２０９】
なお、実施例３の番組選択支援装置１Ｂにおいては、録画再生部として番組選択支援装置１Ｂに内蔵されている映像音声信号記録部１３とネットワーク３に接続されているテレビジョン録画機２とを用いているが、いずれか一方のみとしてもよい。番組選択支援装置１Ｂに内蔵の録画再生部と外部の録画再生部の使い分けは上述した使い分けに限定されるものではない。上述した実施例３の説明では、テレビジョン録画機２に録画または録画予約されていない放送番組を対象として、番組選択支援のためチャンネルを切替えたりオンスクリーン情報を表示したりしたが、内蔵の録画再生部である映像音声信号記録部１３に録画されていない放送番組を対象として、同様の番組選択支援を行うように構成してもよい。【０２１０】
番組選択支援装置１Ｂがネットワーク接続部２３を備えない構成で、映像音声信号記録部１３に対してのみ放送番組の録画を行う場合には、図１２に示す放送開始までの時間が所定の閾値以内の放送番組に対する番組選択支援処理の処理フローにおいて、ステップＳ６０６は映像音声信号記録部１３に対する録画情報を取得すればよい。【０２１１】
なお、上述した各実施例を、コンピュータにインストールした番組選択支援プログラムを実行させることにより実現することもできる。すなわち、この番組選択支援プログラムは、例えば、番組選択支援プログラムが記憶された記録媒体から読み出され、機器制御部で実行されることにより番組選択支援装置１，１Ａ，１Ｂを構成するようにしてもよいし、通信ネットワークを介して伝送されてインストールされ、機器制御部で実行されることにより番組選択支援装置１，１Ａ，１Ｂを構成するようにしてもよい。【０２１２】
また、本発明は上述した実施例１〜３それぞれに限定されるものではない。実施例１〜３を適宜組み合わせてもよい。例えば実施例２で説明した番組選択支援の動作を、実施例１における電源投入時に行ってもよい。
【産業上の利用可能性】
【０２１３】
本発明に係る番組選択支援装置によれば、視聴者の嗜好に適合する放送番組のうち、録画再生部によって録画または録画予約されていない放送番組に対して選択支援を行うことができる。従って、視聴者にとって必要のない選択支援を行うことはなく、視聴者に不快感を与えることを軽減できる。
【図１】
2009107725.tif 000007
【図２】
2009107725.tif 000008
【図３】
2009107725.tif 000009
【図４】
2009107725.tif 000010
【図５】
2009107725.tif 000011
【図６】
2009107725.tif 000012
【図７】
2009107725.tif 000013
【図８】
2009107725.tif 000014
【図９】
2009107725.tif 000015
【図１０】
2009107725.tif 000016
【図１１】
2009107725.tif 000017
【図１２】
2009107725.tif 000018
【図１３】
2009107725.tif 000019
【図１４】
2009107725.tif 000020
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
所定のチャンネルの放送信号を受信して、放送番組の映像音声信号を出力する放送番組受信部と、
前記放送番組に関する番組情報を受信して出力する番組情報受信部と、
前記番組情報受信部より出力された番組情報を記憶する番組情報記憶部と、
現在放送中及び将来放送される放送番組に対する視聴者の番組嗜好度を含む番組嗜好情報を記憶する番組嗜好情報記憶部と、
前記番組情報記憶部に記憶された前記番組情報と前記番組嗜好情報記憶部に記憶された前記番組嗜好情報とに基づいて、予め定めた時点で放送される複数の放送番組に対する番組嗜好度の中から最も嗜好度の高い最高番組嗜好度を抽出し、前記放送番組受信部より出力されて前記予め定めた時点で表示部に表示させる放送番組が前記最高番組嗜好度を有する放送番組であるか否かを判定する嗜好度判定部と、
視聴者が前記最高番組嗜好度を有する放送番組を特定して、録画再生部によって前記最高番組嗜好度を有する放送番組を録画または録画予約しているか否かを判定する録画判定部と、
前記嗜好度判定部が、前記予め定めた時点で前記表示部に表示させる放送番組が前記最高番組嗜好度を有する放送番組ではないと判定し、かつ、前記録画判定部が、視聴者が前記最高番組嗜好度を有する放送番組を特定して前記録画再生部によって前記最高番組嗜好度を有する放送番組を録画または録画予約していないと判定した条件を満たすとき、視聴者が前記最高番組嗜好度を有する放送番組を視聴するための番組選択支援として、前記最高番組嗜好度を有する放送番組を前記表示部に表示させるよう前記放送番組受信部が受信するチャンネルを切替えるか、または前記最高番組嗜好度を有する放送番組が放送中であることを示すオンスクリーン情報を前記表示部に表示させるよう決定し、前記条件を満たさないとき、前記番組選択支援を行わないように決定する決定部と
を備えることを特徴とする番組選択支援装置。
【請求項２】
前記予め定めた時点は前記番組選択支援装置の電源を投入した時点であり、前記決定部は、前記条件を満たすとき、前記番組選択支援装置の電源投入後に、前記番組選択支援を行うことを特徴とする請求項１記載の番組選択支援装置。
【請求項３】
前記予め定めた時点は前記表示部が表示している一の放送番組の終了時点であり、
前記決定部は、前記条件を満たすとき、前記表示部に表示させている一の放送番組の終了後に、前記番組選択支援を行う
ことを特徴とする請求項１記載の番組選択支援装置。
【請求項４】
前記予め定めた時点は前記録画再生部によって再生している一の録画放送番組の再生終了時点であり、
前記決定部は、前記条件を満たすとき、前記録画再生部によって再生している一の録画放送番組の再生終了後に、前記番組選択支援を行う
ことを特徴とする請求項１記載の番組選択支援装置。
【請求項５】
所定のチャンネルの放送信号を受信して、放送番組の映像音声信号を出力する放送番組受信部と、
前記放送番組に関する番組情報を受信して出力する番組情報受信部と、
前記番組情報受信部より出力された番組情報を記憶する番組情報記憶部と、
現在放送中及び将来放送される放送番組に対する視聴者の番組嗜好度を含む番組嗜好情報を記憶する番組嗜好情報記憶部と、
前記番組情報記憶部に記憶された前記番組情報と前記番組嗜好情報記憶部に記憶された前記番組嗜好情報とに基づいて、現在時刻から所定の時間内に放送が開始される複数の放送番組に対する番組嗜好度の中から最も嗜好度の高い最高番組嗜好度を抽出し、前記放送番組受信部が、前記最高番組嗜好度を有する放送番組を放送するチャンネルを受信しているか否かを判定する嗜好度抽出・判定部と、
視聴者が前記最高番組嗜好度を有する放送番組を特定して、録画再生部によって前記最高番組嗜好度を有する放送番組を録画または録画予約しているか否かを判定する録画判定部と、
前記嗜好度抽出・判定部が、前記放送番組受信部が、前記最高番組嗜好度を有する放送番組を放送するチャンネルを受信していないと判定し、かつ、前記録画判定部が、視聴者が前記最高番組嗜好度を有する放送番組を特定して前記録画再生部によって前記最高番組嗜好度を有する放送番組を録画予約していないと判定した条件を満たすとき、視聴者が前記最高番組嗜好度を有する放送番組を視聴するための番組選択支援として、前記最高番組嗜好度を有する法則番組の放送が開始されることを示すオンスクリーン情報を前記表示部に表示させるよう決定し、前記条件を満たさないとき、前記番組選択支援を行わないよう決定する決定部と
を備えることを特徴とする番組選択支援装置。
【請求項６】
（削除）
【請求項７】
番組嗜好度が所定の閾値以上であるか否かを判定する閾値判定部を備え、
前記決定部は、前記閾値以上の番組嗜好度を有する放送番組に対する番組選択支援を行うことを特徴とする請求項１から５のいずれか１項に記載の番組選択支援装置。
【請求項８】
前記オンスクリーン情報は、前記最高番組嗜好度を有する放送番組を前記表示部に表示させるための表示ボタンと、前記最高番組嗜好度を有する放送番組を録画再生部によって録画させるための録画ボタンとを含み、
前記表示ボタンが選択された場合には前記最高番組嗜好度を有する放送番組を前記表示部に表示させ、前記録画ボタンが選択された場合には前記最高番組嗜好度を有する放送番組を録画再生部によって録画させるよう制御する表示・録画制御部を備えることを特徴とする請求項１から５のいずれか１項に記載の番組選択支援装置。
【請求項９】
番組嗜好度が所定の閾値以上である放送番組を抽出して録画再生部によって自動的に録画させる自動録画制御部を備え、
前記表示・録画制御部が、前記表示ボタンが選択され、前記最高番組嗜好度を有する放送番組が前記自動録画制御部によって自動的に録画されている放送番組であることを検出したとき、前記自動録画制御部によって録画されている前記最高番組嗜好度を有する放送番組を再生させるよう制御することを特徴とする請求項８記載の番組選択支援装置。
【請求項１０】
放送番組受信部において、所定のチャンネルの放送信号を受信して、放送番組の映像音声信号を出力し、
番組放送受信部において、前記放送番組に関する番組情報を受信して出力し、
番組情報記憶部において、前記番組情報受信部より出力された番組情報を記憶し、
番組嗜好情報記憶部において、現在放送中及び将来放送される放送番組に対する視聴者の番組嗜好度を含む番組嗜好情報を記憶し、
嗜好度判定部において、前記番組情報記憶部に記憶された前記番組情報と前記番組嗜好情報記憶部に記憶された前記番組嗜好情報とに基づいて、予め定めた時点で放送される複数の放送番組に対する番組嗜好度の中から最も嗜好度の高い最高番組嗜好度を抽出し、前記放送番組受信部より出力されて前記予め定めた時点で表示部に表示させる放送番組が前記最高番組嗜好度を有する放送番組であるか否かを判定し、
録画判定部において、視聴者が前記最高番組嗜好度を有する放送番組を特定して、録画再生部によって前記最高番組嗜好度を有する放送番組を録画または録画予約しているか否かを判定し、
決定部において、前記嗜好度判定部が、前記予め定めた時点で前記表示部に表示させる放送番組が前記最高番組嗜好度を有する放送番組ではないと判定し、かつ、前記録画判定部が、視聴者が前記最高番組嗜好度を有する放送番組を特定して前記録画再生部によって前記最高番組嗜好度を有する放送番組を録画または録画予約していないと判定した条件を満たすとき、視聴者が前記最高番組嗜好度を有する放送番組を視聴するための番組選択支援として、前記最高番組嗜好度を有する放送番組を前記表示部に表示させるよう前記放送番組受信部が受信するチャンネルを切替えるか、または前記最高番組嗜好度を有する放送番組が放送中であることを示すオンスクリーン情報を前記表示部に表示させるよう決定し、前記条件を満たさないとき、前記番組選択支援を行わないよう決定する
ことを特徴とする番組選択支援方法。
【請求項１１】
放送番組受信部において、所定のチャンネルの放送信号を受信して、放送番組の映像音声信号を出力し、
番組情報受信部において、前記放送番組に関する番組情報を受信して出力し、
番組情報記憶部において、前記番組情報受信部より出力された番組情報を記憶し、
番組嗜好情報記憶部において、現在放送中及び将来放送される放送番組に対する視聴者の番組嗜好度を含む番組嗜好情報を記憶し、
嗜好度抽出・判定部において、前記番組情報記憶部に記憶された前記番組情報と前記番組嗜好情報記憶部に記憶された前記番組嗜好情報とに基づいて、現在時刻から所定の時間内に放送が開始される複数の放送番組に対する番組嗜好度の中から最も嗜好度の高い最高番組嗜好度を抽出し、前記放送番組受信部が、前記最高番組嗜好度を有する放送番組を放送するチャンネルを受信しているか否かを判定し、
録画判定部において、視聴者が前記最高番組嗜好度を有する放送番組を特定して、録画再生部によって前記最高番組嗜好度を有する放送番組を録画または録画予約しているか否かを判定し、
決定部において、前記嗜好度抽出・判定部が、前記放送番組受信部が、前記最高番組嗜好度を有する放送番組を放送するチャンネルを受信していないと判定し、かつ、前記録画判定部が、視聴者が前記最高番組嗜好度を有する放送番組を特定して前記録画再生部によって前記最高番組嗜好度を有する放送番組を録画予約していないと判定した条件を満たすとき、視聴者が前記最高番組嗜好度を有する放送番組を視聴するための番組選択支援として、前記最高番組嗜好度を有する放送番組の放送が開始されることを示すオンスクリーン情報を前記表示部に表示させるように決定し、前記条件を満たさないとき、前記番組選択支援を行わないよう決定する
ことを特徴とする番組選択支援方法。
【手続補正２】
【補正対象書類名】明細書
【補正対象項目名】０００３
【補正方法】変更
【補正の内容】
【０００３】
で表示部に表示させる放送番組が前記最高番組嗜好度を有する放送番組であるか否かを判定する嗜好度判定部と、視聴者が前記最高番組嗜好度を有する放送番組を特定して、録画再生部によって前記最高番組嗜好度を有する放送番組を録画または録画予約しているか否かを判定する録画判定部と、前記嗜好度判定部が、前記予め定めた時点で前記表示部に表示させる放送番組が前記最高番組嗜好度を有する放送番組ではないと判定し、かつ、前記録画判定部が、視聴者が前記最高番組嗜好度を有する放送番組を特定して前記録画再生部によって前記最高番組嗜好度を有する放送番組を録画または録画予約していないと判定した条件を満たすとき、視聴者が前記最高番組嗜好度を有する放送番組を視聴するための番組選択支援として、前記最高番組嗜好度を有する放送番組を前記表示部に表示させるよう前記放送番組受信部が受信するチャンネルを切替えるか、または前記最高番組嗜好度を有する放送番組が放送中であることを示すオンスクリーン情報を前記表示部に表示させるよう決定し、前記条件を満たさないとき、前記番組選択支援を行わないよう決定する決定部とを備えることを特徴とする番組選択支援装置が提供される。
［００１１］
また、本発明の第二の側面によれば、所定のチャンネルの放送信号を受信して、放送番組の映像音声信号を出力する放送番組受信部と、前記放送番組に関する番組情報を受信して出力する番組情報受信部と、前記番組情報受信部より出力された番組情報を記憶する番組情報記憶部と、現在放送中及び将来放送される放送番組に対する視聴者の番組嗜好度を含む番組嗜好情報を記憶する番組嗜好情報記憶部と、前記番組情報記憶部に記憶された前記番組情報と前記番組嗜好情報記憶部に記憶された前記番組嗜好情報とに基づいて、現在時刻から所定の時間内に放送が開始される複数の放送番組に対する番組嗜好度の中から最も嗜好度の高い最高番組嗜好度を抽出し、前記放送番組受信部が、前記最高番組嗜好度を有する放送番組を放送するチャンネルを受信しているか否かを判定する嗜好度抽出・判定部と、視聴者が前記最高番組嗜好度を有する放送番組を特定して、録画再生部によって前記最高番組嗜好度を有する放送番組を録画または録画予約しているか否かを判定する録画判定部と、前記嗜好度抽出・判定部が、前記放送番組受信部が、前記最高番組嗜好度を有する放送番組を放送するチャンネルを受信していないと判定し、かつ、前記録画判定部が、視聴者が前記最高番組嗜好度を有する放送番組を特定して前記録画再生部によって前記最高番組嗜好度を有する放送番組を録画予約していないと判定した条件を満たすとき、視聴者が前記最高番組嗜好度を有する放送番組を視聴するための番組選択支援として、前記最高番組嗜好度を有する放送番組の放送が開始されることを示すオンスクリーン情報を前記表示部に表示させるよう決定し、前記条件を満たさないとき、前記番組選択支援を行わないよう決定する決定部とを備えることを特徴とする番組選択支
【手続補正３】
【補正対象書類名】明細書
【補正対象項目名】０００４
【補正方法】変更
【補正の内容】
【０００４】
援装置が提供される。
［００１２］
さらに、本発明の第三の側面によれば、番組放送受信部において、所定のチャンネルの放送信号を受信して、放送番組の映像音声信号を出力し、番組放送受信部において、前記放送番組に関する番組情報を受信して出力し、番組情報記憶部において、前記番組情報受信部より出力された番組情報を記憶し、番組嗜好情報記憶部において、現在放送中及び将来放送される放送番組に対する視聴者の番組嗜好度を含む番組嗜好情報を記憶し、嗜好度判定部において、前記番組情報記憶部に記憶された前記番組情報と前記番組嗜好情報記憶部に記憶された前記番組嗜好情報とに基づいて、予め定めた時点で放送される複数の放送番組に対する番組嗜好度の中から最も嗜好度の高い最高番組嗜好度を抽出し、前記放送番組受信部より出力されて前記予め定めた時点で表示部に表示させる放送番組が前記最高番組嗜好度を有する放送番組であるか否かを判定し、録画判定部において、視聴者が前記最高番組嗜好度を有する放送番組を特定して、録画再生部によって前記最高番組嗜好度を有する放送番組を録画または録画予約しているか否かを判定し、決定部において、前記嗜好度判定部が、前記予め定めた時点で前記表示部に表示させる放送番組が前記最高番組嗜好度を有する放送番組ではないと判定し、かつ、前記録画判定部が、視聴者が前記最高番組嗜好度を有する放送番組を特定して前記録画再生部によって前記最高番組嗜好度を有する放送番組を録画または録画予約していないと判定した条件を満たすとき、視聴者が前記最高番組嗜好度を有する放送番組を視聴するための番組選択支援として、前記最高番組嗜好度を有する放送番組を前記表示部に表示させるよう前記放送番組受信部が受信するチャンネルを切替えるか、または前記最高番組嗜好度を有する放送番組が放送中であることを示すオンスクリーン情報を前記表示部に表示させるよう決定し、前記条件を満たさないとき、前記番組選択支援を行わないよう決定することを特徴とする番組選択支援方法が提供される。
［００１３］
さらに、本発明の第四の側面によれば、放送番組受信部において、所定のチャンネルの放送信号を受信して、放送番組の映像音声信号を出力し、番組情報受信部において、前記放送番組に関する番組情報を受信して出力し、番組情報記憶部において、前記番組情報受信部より出力された番組情報を記憶し、番組嗜好情報記憶部において、現在放送中及び将来放送される放送番組に対する視聴者の番組嗜好度を含む番組嗜好情報を記憶し、嗜好度抽出・判定部において、前記番組情報記憶部に記憶された前記番組情報と前記番組嗜好情報記憶部に記憶された前記番組
【手続補正４】
【補正対象書類名】明細書
【補正対象項目名】０００５
【補正方法】変更
【補正の内容】
【０００５】
嗜好情報とに基づいて、現在時刻から所定の時間内に放送が開始される複数の放送番組に対する番組嗜好度の中から最も嗜好度の高い最高番組嗜好度を抽出し、前記放送番組受信部が、前記最高番組嗜好度を有する放送番組を放送するチャンネルを受信しているか否かを判定し、録画判定部において、視聴者が前記最高番組嗜好度を有する放送番組を特定して、録画再生部によって前記最高番組嗜好度を有する放送番組を録画または録画予約しているか否かを判定し、決定部において、前記嗜好度抽出・判定部が、前記放送番組受信部が、前記最高番組嗜好度を有する放送番組を放送するチャンネルを受信していないと判定し、かつ、前記録画判定部が、視聴者が前記最高番組嗜好度を有する放送番組を特定して前記録画再生部によって前記最高番組嗜好度を有する放送番組を録画予約していないと判定した条件を満たすとき、視聴者が前記最高番組嗜好度を有する放送番組を視聴するための番組選択支援として、前記最高番組嗜好度を有する放送番組を前記表示部に表示させるよう前記法則番組受信部が受信するチャンネルを切替えるか、または前記最高番組嗜好度を有する放送番組が放送中であることを示すオンスクリーン情報を前記表示部に表示させるよう決定し、前記条件を満たさないとき、前記番組選択支援を行わないよう決定することを特徴とする番組選択支援方法が提供される。
図面の簡単な説明
［００１４］
［図１］図１は、本発明の実施例１の番組選択支援装置を示す構成図である。
［図２］図２は、本発明の実施例１の番組選択支援装置を用いた番組選択支援システムの構成図である。
［図３］図３は、本発明の実施例１の番組選択支援装置とネットワークを介して接続されたテレビジョン録画機の構成図である。
［図４］図４は、本発明の各実施例の番組選択支援装置における嗜好分析処理を示すフローチャートである。
［図５］図５は、本発明の実施例１の番組選択支援装置における電源オン時の番組選択支援装置を示すフローチャートである。
［図６］図６は、本発明の実施例１，２の番組選択支援装置による番組選択支援の例を示す画面表示例を示す図である。
［図７］図７は、本発明の実施例１の番組選択支援装置における出力処理を示すフローチャートである。
［図８］図８は、本発明の実施例２の番組選択支援装置を示す構成図である。
［図９］図９は、本発明の実施例２の番組選択支援装置における視聴終了時の番組選
【国際調査報告】
2009107725.tif 000021
2009107725.tif 000022
2009107725.tif 000023
2009107725.tif 000024